(57)【要約】  この出願は無線通信技術に関し、詳細には端末装置、ネットワーク装置、データ送信方法、及び無線通信システムに関する。この出願において提供される第１の端末装置は、第２の端末装置から第１の端末装置のデータストリームを受信するように構成された送受信機モジュールと、受信モジュールにより受信されたデータストリームを処理するように構成された処理モジュールとを含み、第２の端末装置は、ネットワーク装置から、第１の端末装置のかつマルチユーザ複数入力複数出力ＭＵ‐ＭＩＭＯ技術を使用することによりネットワーク装置により送出されるデータストリームを受信するように構成される。第２の端末装置は、第１の端末装置のＭＵ‐ＭＩＭＯ下りリンクデータ送信に関与し、第１の端末装置のデータストリームを第１の端末装置に送出する。これは、第２の端末装置がデータ送信要件を有さず、あるいは比較的低いデータ送信要件を有するとき、ネットワーク装置がＭＵ‐ＭＩＭＯ技術を使用することによりデータストリームを配信することができず、あるいはネットワーク装置がＭＵ‐ＭＩＭＯ技術を使用することによりデータストリームを配信するときでさえ通信システムの全体スループット性能が高くないという問題を回避する。
2019508927.tif 000002
【特許請求の範囲】
【請求項１】
第１の端末装置であって、
第２の端末装置から前記第１の端末装置のデータストリームを受信するように構成された送受信機モジュールと、
前記受信モジュールにより受信された前記データストリームを処理するように構成された処理モジュールと、
を含み、
前記第２の端末装置は、前記第１の端末装置を扱うネットワーク装置から、前記第１の端末装置のかつマルチユーザ複数入力複数出力ＭＵ‐ＭＩＭＯ技術を使用することにより前記ネットワーク装置により送出される前記データストリームを受信するように構成される、
第１の端末装置。
【請求項２】
前記処理モジュールは、前記送受信機モジュールが前記第１の端末装置の前記データストリームを受信する前、前記第２の端末装置を決定するようにさらに構成される、
請求項１に記載の装置。
【請求項３】
前記送受信機モジュールは、
前記処理モジュールが前記第２の端末装置を決定した後、前記処理モジュールが前記送受信機モジュールにより受信された前記データストリームを処理する前、第１の補助通知メッセージを前記ネットワーク装置に送出する
ようにさらに構成され、
前記第１の補助通知メッセージは、前記第２の端末装置が前記ネットワーク装置から前記第１の端末装置のデータを受信すると前記ネットワーク装置に通知するために使用される、
請求項２に記載の装置。
【請求項４】
前記送受信機モジュールは、前記処理モジュールが前記第２の端末装置を決定する前、補助要求メッセージを少なくとも１つの端末装置に送出するようにさらに構成され、
前記補助要求メッセージは、前記少なくとも１つの端末装置が前記第１の端末装置の前記データストリームを受信し、前記第１の端末装置の前記受信したデータストリームを前記第１の端末装置に送出することができるかどうかを前記少なくとも１つの端末装置に尋ねるために使用され、
前記処理モジュールは、補助応答メッセージを送出する前記少なくとも１つの端末装置の中の端末装置を前記第２の端末装置として決定するように具体的に構成され、
前記補助応答メッセージは、前記補助応答メッセージを送出する前記端末装置が前記第１の端末装置の前記データストリームを受信し、前記第１の端末装置の前記受信したデータストリームを前記第１の端末装置に送出することができると前記第１の端末装置に通知するために使用される、
請求項２又は３に記載の装置。
【請求項５】
前記送受信機モジュールは、前記処理モジュールが前記第２の端末装置を決定する前、前記ネットワーク装置により送出された第１の制御メッセージを受信するようにさらに構成され、前記第１の制御メッセージは、前記第２の端末装置を決定するように前記第１の端末装置に命令する、
請求項１乃至４のうちいずれか１項に記載の装置。
【請求項６】
前記送受信機モジュールは、
前記第２の端末装置から前記第１の端末装置の前記データストリームを受信する前、前記第２の端末装置の下りリンクチャネル情報を前記ネットワーク装置に送出する
ようにさらに構成され、
前記第２の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項１乃至５のうちいずれか１項に記載の装置。
【請求項７】
前記送受信機モジュールは、
前記第２の端末装置の前記下りリンクチャネル情報を前記ネットワーク装置に送出する前、前記ネットワーク装置により送出された第２の制御メッセージを受信する
ようにさらに構成され、
前記第２の制御メッセージは、前記第２の端末装置の前記下りリンクチャネル情報を取得するように前記第１の端末装置に命令するために使用される、
請求項６に記載の装置。
【請求項８】
前記送受信機モジュールは、
前記処理モジュールが前記第２の端末装置を決定した後、前記第２の端末装置の下りリンクチャネル情報を前記ネットワーク装置に送出するように前記第２の端末装置に命令する
ようにさらに構成される、請求項１乃至５のうちいずれか１項に記載の装置。
【請求項９】
前記送受信機モジュールは、
前記第１の端末装置の下りリンクチャネル情報を前記ネットワーク装置に送出する
ようにさらに構成され、
前記第１の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項１乃至８のうちいずれか１項に記載の装置。
【請求項１０】
前記第２の端末装置はデータ送信要件を有し、あるいは前記第２の端末装置はデータ送信要件を有さない、請求項１乃至９のうちいずれか１項に記載の装置。
【請求項１１】
第２の端末装置であって、
第１の端末装置を扱うネットワーク装置から、前記第１の端末装置のかつＭＵ‐ＭＩＭＯ技術を使用することにより前記ネットワーク装置により送出されるデータストリームを、前記第２の端末装置が受信すると決定するように構成された処理モジュールと、
前記第１の端末装置のかつ前記ＭＵ‐ＭＩＭＯ技術を使用することにより前記ネットワーク装置により送出される前記データストリームを受信するように構成された受信モジュールと、
前記第１の端末装置のかつ前記受信モジュールにより受信される前記データストリームを前記第１の端末装置に送出するように構成された送出モジュールと、
を含む第２の端末装置。
【請求項１２】
前記送出モジュールは、
前記受信モジュールが前記第１の端末装置の前記データストリームを受信する前、前記第２の端末装置の下りリンクチャネル情報を前記ネットワーク装置に送出する
ようにさらに構成され、
前記第２の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項１１に記載の装置。
【請求項１３】
前記受信モジュールは、
前記送出モジュールが前記第２の端末装置の前記下りリンクチャネル情報を前記ネットワーク装置に送出する前、前記第１の端末装置又は前記ネットワーク装置により送出された通知を受信する
ようにさらに構成され、
前記通知は、前記第２の端末装置の前記下りリンクチャネル情報を前記ネットワーク装置に送出するように前記第２の端末装置に命令するために使用される、
請求項１２に記載の装置。
【請求項１４】
前記送出モジュールは、
前記第１の端末装置が前記第１の端末装置の下りリンクチャネル情報を前記ネットワーク装置に送出したと前記処理モジュールが確認した後、前記第２の端末装置の前記下りリンクチャネル情報を前記ネットワーク装置に送出する
ように具体的に構成され、
前記第２の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項１２に記載の装置。
【請求項１５】
前記送出モジュールは、前記送出モジュールが前記第１の端末装置のかつ前記受信モジュールにより受信される前記データストリームを前記第１の端末装置に送出する前、第２の補助通知メッセージを前記ネットワーク装置に送出するようにさらに構成され、
前記第２の補助通知メッセージは、前記第２の端末装置が前記第１の端末装置のかつ前記ＭＵ‐ＭＩＭＯ技術を使用することにより前記ネットワーク装置により送出される前記データストリームを受信することができ、前記第１の端末装置の前記データストリームを前記第１の端末装置に送出することができると前記ネットワーク装置に通知するために使用される、
請求項１１乃至１４のうちいずれか１項に記載の装置。
【請求項１６】
前記第２の端末装置はデータ送信要件を有し、あるいはデータ送信要件を有さない、請求項１１乃至１５のうちいずれか１項に記載の装置。
【請求項１７】
ネットワーク装置であって、
第２の端末装置を決定するように構成された処理モジュールであり、前記第２の端末装置は、前記ネットワーク装置から、前記第１の端末装置のかつＭＵ‐ＭＩＭＯ技術を使用することにより前記ネットワーク装置により送出されるデータストリームを受信するように構成される、処理モジュールと、
前記ＭＵ‐ＭＩＭＯ技術を使用することにより前記第１の端末装置の前記データストリームを前記第２の端末装置に送出するように構成された送受信機モジュールと、
を含むネットワーク装置。
【請求項１８】
前記送受信機モジュールは：前記処理モジュールが前記第２の端末装置を決定する前、第１の制御メッセージを前記第１の端末装置に送出することであって、前記第１の制御メッセージは、前記第２の端末装置を決定するように前記第１の端末装置に命令し；前記第１の端末装置から、前記第１の制御メッセージに応答して前記第１の端末装置により送出される第１の補助通知メッセージを受信することであって、前記第１の補助通知メッセージは、前記第２の端末装置が前記ネットワーク装置から前記第１の端末装置のデータを受信すると前記ネットワーク装置に通知するために使用される；ようにさらに構成され、
前記処理モジュールは、前記送受信機モジュールにより受信された前記通知メッセージに基づき前記第２の端末装置を決定するように具体的に構成される、
請求項１７に記載の装置。
【請求項１９】
前記送受信機モジュールは、前記処理モジュールが前記第２の端末装置を決定する前、前記第２の端末装置により送出された第２の補助通知メッセージを受信するようにさらに構成され、前記第２の補助通知メッセージは、前記第２の端末装置が前記第１の端末装置のかつ前記ＭＵ‐ＭＩＭＯ技術を使用することにより前記ネットワーク装置により送出される前記データストリームを受信することができ、前記第１の端末装置の前記データストリームを前記第１の端末装置に送出することができると前記ネットワーク装置に通知するために使用され、
前記処理モジュールは、前記第２の補助通知メッセージに基づき前記第２の端末装置を決定するように具体的に構成される、
請求項１７に記載の装置。
【請求項２０】
前記送受信機モジュールは、前記ＭＵ‐ＭＩＭＯ技術を使用することにより前記第１の端末装置の前記データストリームを前記第２の端末装置に送出する前、
第２の制御メッセージを前記第１の端末装置に送出することであって、前記第２の制御メッセージは、前記第２の端末装置の下りリンクチャネル情報を取得するように前記第１の端末装置に命令するために使用され、
前記第２の端末装置のかつ前記第２の制御メッセージに応答して前記第１の端末装置により送出される前記下りリンクチャネル情報を受信する
ようにさらに構成され、
前記第２の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項１７乃至１９のうちいずれか１項に記載の装置。
【請求項２１】
前記送受信機モジュールは、
前記ＭＵ‐ＭＩＭＯ技術を使用することにより前記第１の端末装置の前記データストリームを前記第２の端末装置に送出する前、前記第２の端末装置により送出された前記第２の端末装置の下りリンクチャネル情報を受信する
ようにさらに構成され、
前記第２の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項１７乃至１９のうちいずれか１項に記載の装置。
【請求項２２】
前記送受信機モジュールは、
前記ＭＵ‐ＭＩＭＯ技術を使用することにより前記第１の端末装置の前記データストリームを前記第２の端末装置に送出する前、前記第１の端末装置により送出された前記第１の端末装置の下りリンクチャネル情報を受信する
ようにさらに構成され、
前記第１の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項１７乃至２１のうちいずれか１項に記載の装置。
【請求項２３】
前記第２の端末装置はデータ送信要件を有し、あるいは前記第２の端末装置はデータ送信要件を有さない、
請求項１７乃至２２のうちいずれか１項に記載の装置。
【請求項２４】
第１の端末装置により、第２の端末装置から前記第１の端末装置のデータストリームを受信するステップと、
前記第１の端末装置により、前記受信したデータストリームを処理するステップと、
を含み、
前記第２の端末装置は、前記第１の端末装置を扱うネットワーク装置から、前記第１の端末装置のかつマルチユーザ複数入力複数出力ＭＵ‐ＭＩＭＯ技術を使用することにより前記ネットワーク装置により送出される前記データストリームを受信するように構成される、
データ送信方法。
【請求項２５】
第１の端末装置により、第２の端末装置から前記第１の端末装置のデータストリームを受信する前記ステップの前、前記方法は、
前記第１の端末装置により、前記第２の端末装置を決定するステップ
をさらに含む、請求項２４に記載の方法。
【請求項２６】
前記第１の端末装置により、前記第２の端末装置を決定する前記ステップの後、前記第１の端末装置により、前記受信したデータストリームを処理する前記ステップの前、前記方法は、
前記第１の端末装置により、第１の補助通知メッセージを前記ネットワーク装置に送出するステップ
をさらに含み、
前記第１の補助通知メッセージは、前記第２の端末装置が前記ネットワーク装置から前記第１の端末装置のデータを受信すると前記ネットワーク装置に通知するために使用される、
請求項２５に記載の方法。
【請求項２７】
前記第１の端末装置により、前記第２の端末装置を決定する前記ステップの前、前記方法は、前記第１の端末装置により、補助要求メッセージを少なくとも１つの端末装置に送出するステップをさらに含み、前記補助要求メッセージは、前記少なくとも１つの端末装置が前記第１の端末装置の前記データストリームを受信し、前記第１の端末装置の前記受信したデータストリームを前記第１の端末装置に送出することができるかどうかを前記少なくとも１つの端末装置に尋ねるために使用され、
前記第１の端末装置により、前記第２の端末装置を決定する前記ステップは、前記第１の端末装置により、補助応答メッセージを送出する前記少なくとも１つの端末装置の中の端末装置を前記第２の端末装置として決定するステップを含み、前記補助応答メッセージは、前記補助応答メッセージを送出する前記端末装置が前記第１の端末装置の前記データストリームを受信し、前記第１の端末装置の前記受信したデータストリームを前記第１の端末装置に送出することができると前記第１の端末装置に通知するために使用される、
請求項２５又は２６に記載の方法。
【請求項２８】
前記第１の端末装置により、前記第２の端末装置を決定する前記ステップの前、前記方法は、
前記第１の端末装置により、前記ネットワーク装置により送出された第１の制御メッセージを受信するステップであり、前記第１の制御メッセージは、前記第２の端末装置を決定するように前記第１の端末装置に命令する、ステップ
をさらに含む、請求項２５乃至２７のうちいずれか１項に記載の方法。
【請求項２９】
第１の端末装置により、第２の端末装置から前記第１の端末装置のデータストリームを受信する前記ステップの前、前記方法は、
前記第１の端末装置により、前記第２の端末装置の下りリンクチャネル情報を前記ネットワーク装置に送出するステップ
をさらに含み、
前記第２の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項２４乃至２８のうちいずれか１項に記載の方法。
【請求項３０】
前記第１の端末装置により、前記第２の端末装置の下りリンクチャネル情報を前記ネットワーク装置に送出する前記ステップの前、前記方法は、
前記第１の端末装置により、前記ネットワーク装置により送出された第２の制御メッセージを受信するステップ
をさらに含み、
前記第２の制御メッセージは、前記第２の端末装置の前記下りリンクチャネル情報を取得するように前記第１の端末装置に命令するために使用される、
請求項２９に記載の方法。
【請求項３１】
前記第１の端末装置により、前記第２の端末装置を決定する前記ステップの後、前記方法は、
前記第１の端末装置により、前記第２の端末装置の下りリンクチャネル情報を前記ネットワーク装置に送出するように前記第２の端末装置に命令するステップ
をさらに含む、
請求項２４乃至２８のうちいずれか１項に記載の方法。
【請求項３２】
前記第１の端末装置により、前記第１の端末装置の下りリンクチャネル情報を前記ネットワーク装置に送出するステップ
をさらに含み、
前記第１の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項２４乃至３１のうちいずれか１項に記載の方法。
【請求項３３】
前記第２の端末装置はデータ送信要件を有し、あるいは前記第２の端末装置はデータ送信要件を有さない、請求項２４乃至３２のうちいずれか１項に記載の方法。
【請求項３４】
第２の端末装置により、第１の端末装置を扱うネットワーク装置から、前記第１の端末装置のかつＭＵ‐ＭＩＭＯ技術を使用することにより前記ネットワーク装置により送出されるデータストリームを、前記第２の端末装置が受信すると決定するステップと、
前記第２の端末装置により、前記第１の端末装置のかつ前記ＭＵ‐ＭＩＭＯ技術を使用することにより前記ネットワーク装置により送出される前記データストリームを受信するステップ、及び前記第１の端末装置の前記受信したデータストリームを前記第１の端末装置に送出するステップと、
を含むデータ送信方法。
【請求項３５】
前記第２の端末装置により、前記第１の端末装置の前記データストリームを受信する前記ステップの前、前記方法は、
前記第２の端末装置により、前記第２の端末装置の下りリンクチャネル情報を前記ネットワーク装置に送出するステップ
をさらに含み、
前記第２の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項３４に記載の方法。
【請求項３６】
前記第２の端末装置により、前記第２の端末装置の下りリンクチャネル情報を前記ネットワーク装置に送出する前記ステップの前、前記方法は、
前記第２の端末装置により、前記第１の端末装置又は前記ネットワーク装置により送出された通知を受信するステップ
をさらに含み、
前記通知は、前記第２の端末装置の前記下りリンクチャネル情報を前記ネットワーク装置に送出するように前記第２の端末装置に命令するために使用される、
請求項３５に記載の方法。
【請求項３７】
前記第２の端末装置により、前記第２の端末装置の下りリンクチャネル情報を前記ネットワーク装置に送出する前記ステップは、
前記第１の端末装置が前記第１の端末装置の下りリンクチャネル情報を前記ネットワーク装置に送出したと前記第２の端末装置が確認した後、前記第２の端末装置の前記下りリンクチャネル情報を前記ネットワーク装置に送出するステップ
を含み、
前記第２の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項２５に記載の方法。
【請求項３８】
前記第２の端末装置により、前記第１の端末装置のかつ前記ＭＵ‐ＭＩＭＯ技術を使用することにより前記ネットワーク装置により送出される前記データストリームを受信する前記ステップ、及び前記第１の端末装置の前記受信したデータストリームを前記第１の端末装置に送出する前記ステップの前、前記方法は、
前記第２の端末装置により、第２の補助通知メッセージを前記ネットワーク装置に送出するステップ
をさらに含み、
前記第２の補助通知メッセージは、前記第２の端末装置が前記第１の端末装置のかつ前記ＭＵ‐ＭＩＭＯ技術を使用することにより前記ネットワーク装置により送出される前記データストリームを受信することができ、前記第１の端末装置の前記データストリームを前記第１の端末装置に送出することができると前記ネットワーク装置に通知するために使用される、
請求項３４乃至３７のうちいずれか１項に記載の方法。
【請求項３９】
前記第２の端末装置はデータ送信要件を有し、あるいは前記第２の端末装置はデータ送信要件を有さない、請求項３４乃至３８のうちいずれか１項に記載の方法。
【発明の詳細な説明】
【技術分野】
【０００１】
この出願は無線通信技術の分野に関し、詳細には端末装置、ネットワーク装置、データ送信方法、及び無線通信システムに関する。
【背景技術】
【０００２】
無線通信システムにおいて、複数アンテナ技術が使用されることがある。複数のアンテナは送信端及び受信端の双方で使用され、これにより、空間ドメインを拡大し、システム容量を改善する。
【０００３】
下りリンクシングルユーザ複数入力複数出力（Single  User  Multiple-Input  Multiple-Output、ＳＵ‐ＭＩＭＯ）は、複数アンテナ技術の１つである。
【０００４】
従来の下りリンクＳＵ‐ＭＩＭＯ技術では、複数のデータストリームが基地局により前処理され、同じ時間‐周波数リソースを使用することにより基地局の複数のアンテナにより送信される。
【０００５】
図１に示されるように、基地局により送信される信号は、ユーザ機器（User  Equipment、ＵＥ）上の複数のアンテナにより受信される。基地局は、基地局の送信アンテナとＵＥの受信アンテナとの間の下りリンクチャネルの下りリンクチャネル情報を使用することにより前処理を実行し、それにより、ＵＥにより受信される複数のデータストリーム間には比較的少ない干渉が存在し、複数のデータストリームはＵＥにより正しく受信されることができる。
【０００６】
マルチユーザ複数入力複数出力（Multi-User  Multiple-Input  Multiple-Output、ＭＵ‐ＭＩＭＯ）は、別の複数アンテナ技術である。
【０００７】
ＭＵ‐ＭＩＭＯ技術では、複数のデータストリームが少なくとも２つのＵＥ（ＵＥ１及びＵＥ２）に送出される。
【０００８】
図２に示されるように、複数のデータストリームは基地局により前処理され、同じ時間‐周波数リソースを使用することにより基地局の複数のアンテナにより送信される。各ＵＥのアンテナが、ＵＥに送出されるデータストリームを受信する。基地局は、基地局の送信アンテナと各ＵＥの受信アンテナとの間の下りリンクチャネルの情報を使用することにより前処理を実行し、それにより、異なるＵＥにより受信されるデータストリーム間には比較的少ない干渉が存在し、各ＵＥは、ＵＥに送出されるデータストリームを正しく受信することができる。
【０００９】
ＭＵ‐ＭＩＭＯ技術を使用するとき、基地局は、複数のデータストリームを複数のＵＥに同時に送出することができ、これに対し、ＳＵ‐ＭＩＭＯを使用するとき、基地局は、複数のデータストリームを単一のＵＥにのみ送出することができる。ＭＵ‐ＭＩＭＯは、ＳＵ‐ＭＩＭＯよりもより良い下りリンクスループット性能を一般に有する。
【００１０】
いくつかのＵＥがデータ送信要件を有さず、あるいは比較的低いデータ送信要件を有するとき、ＭＵ‐ＭＩＭＯは、ＳＵ‐ＭＩＭＯに格下げされる。結果として、基地局はＭＵ‐ＭＩＭＯ技術を使用することによりデータストリームを配信することができず、あるいは、基地局がＭＵ‐ＭＩＭＯ技術を使用することによりデータストリームを配信できるときでさえ通信の全体スループット性能が高くない。
【発明の概要】
【００１１】
これを考慮して、ＭＵ‐ＭＩＭＯ技術を使用することにより複数のデータストリームを端末装置に送出し、通信システム全体のスループットを増加させるために、端末装置、ネットワーク装置、及びデータ送信方法が提供される。
【００１２】
第１の態様によれば、この出願は第１の端末装置を提供し、該第１の端末装置は、
第２の端末装置から第１の端末装置のデータストリームを受信するように構成された送受信機モジュールと、
受信モジュールにより受信されたデータストリームを処理するように構成された処理モジュールと、
を含み、
第２の端末装置は、第１の端末装置を扱うネットワーク装置から、第１の端末装置のかつマルチユーザ複数入力複数出力ＭＵ‐ＭＩＭＯ技術を使用することによりネットワーク装置により送出されるデータストリームを受信するように構成される。
【００１３】
この実現方式では、ネットワーク装置が第１の端末装置のデータストリームを第１の端末装置に送出するとき、第２の端末装置が第１の端末装置のＭＵ‐ＭＩＭＯ下りリンクデータ送信にさらに関与する。第１の端末装置のデータストリームのみが送信され、あるいは第２の端末装置の比較的少量のデータのみが送信されるとしても、第２の端末装置とネットワーク装置との間のチャネルが浪費されず、代わりに、第１の端末装置のデータストリームを送信するのを助けるために使用される。これは、ネットワーク装置がＭＵ‐ＭＩＭＯ技術を使用することによりデータストリームを複数の端末装置に配信することができないためＭＵ‐ＭＩＭＯがＳＵ‐ＭＩＭＯに格下げされる問題の発生を回避し、これにより、通信システムのスループットを増加させる。
【００１４】
さらに、これは、複数の端末装置がデータ送信要件を同時に有するがいくつかの端末装置が比較的低いデータ送信要件を有するシナリオにおいて、比較的低いデータ送信要件を有する端末装置の送信能力が十分に利用されないことをさらに回避し、これにより、通信システムのスループットをさらに増加させる。
【００１５】
第１の態様を参照し、第１の可能な実現方式において、処理モジュールは、送受信機モジュールが第１の端末装置のデータストリームを受信する前、第２の端末装置を決定するようにさらに構成される。
【００１６】
第１の端末装置は、第２の端末を決定し、それにより、第１の端末装置は、第１の端末装置のデータストリームを転送するのを助ける端末装置を習得し、ターゲット化された方式で、端末装置から第１の端末装置のデータストリームを受信することができる。
【００１７】
第１の態様の第１の可能な実現方式を参照し、第２の可能な実現方式において、送受信機モジュールは、
処理モジュールが第２の端末装置を決定した後、処理モジュールが送受信機モジュールにより受信されたデータストリームを処理する前、第１の補助通知メッセージをネットワーク装置に送出する
ようにさらに構成され、
第１の補助通知メッセージは、第２の端末装置がネットワーク装置から第１の端末装置のデータを受信するとネットワーク装置に通知するために使用される。
【００１８】
この可能な実現方式において、第２の端末装置は、第２の端末装置が第１の端末装置のデータストリームを受信することができるとネットワーク装置に通知し、それにより、ネットワーク装置は、第１の端末装置のためにデータストリームを送出することができる端末装置を習得することができる。
【００１９】
第１の態様の第２の可能な実現方式を参照し、第３の可能な実現方式において、
送受信機モジュールは、処理モジュールが第２の端末装置を決定する前、補助要求メッセージを少なくとも１つの端末装置に送出するようにさらに構成され、補助要求メッセージは、少なくとも１つの端末装置が第１の端末装置のデータストリームを受信し、第１の端末装置の受信したデータストリームを第１の端末装置に送出することができるかどうかを少なくとも１つの端末装置に問い合わせるために使用され、
処理モジュールは、補助応答メッセージを送出する少なくとも１つの端末装置の中の端末装置を第２の端末装置として決定するように具体的に構成され、補助応答メッセージは、補助応答メッセージを送出する端末装置が第１の端末装置のデータストリームを受信し、第１の端末装置の受信したデータストリームを第１の端末装置に送出することができると第１の端末装置に通知するために使用される。
【００２０】
この可能な実現方式において、第１の端末装置は別の端末装置に問い合わせ、それにより、第１の端末装置は、第１の端末装置のためにデータストリームを受信することができる第２の端末装置を決定する。
【００２１】
第１の態様の第１乃至第３の可能な実現方式のうちいずれか１つを参照し、第４の可能な実現方式において、送受信機モジュールは、処理モジュールが第２の端末装置を決定する前、ネットワーク装置により送出された第１の制御メッセージを受信するようにさらに構成され、第１の制御メッセージは、第２の端末装置を決定するように第１の端末装置に命令する。
【００２２】
この実現方式において、ネットワーク装置は、第１の制御メッセージを送出することにより、第１の端末装置のデータストリームを転送するのを助ける第２の端末装置を決定するように第１の端末装置をトリガする。
【００２３】
第１の態様又は第１の態様の前述の可能な実現方式のうちいずれか１つを参照し、第５の可能な実現方式において、送受信機モジュールは、
第２の端末装置から第１の端末装置のデータストリームを受信する前、第２の端末装置の下りリンクチャネル情報をネットワーク装置に送出する
ようにさらに構成され、
第２の端末装置の下りリンクチャネル情報は、ＭＵ‐ＭＩＭＯ技術を使用することにより第１の端末装置のデータストリームを第２の端末装置に送出するためにネットワーク装置により使用される。
【００２４】
この可能な実現方式において、第１の端末装置は、第２の端末装置の下りリンクチャネル情報を送出し、それにより、第２の端末装置が下りリンクチャネル情報をネットワーク装置に送出することができないとき、ネットワーク装置は第２の端末装置の下りリンクチャネル情報を依然として習得することができ、ゆえに、ＭＵ‐ＭＩＭＯ技術を使用することにより、第２の端末装置の取得された下りリンクチャネル情報に基づき、第１の端末装置のデータストリームを第２の端末装置に送出することができる。
【００２５】
第１の態様の第５の可能な実現方式を参照し、第６の可能な実現方式において、送受信機モジュールは、
第２の端末装置の下りリンクチャネル情報をネットワーク装置に送出する前、ネットワーク装置により送出された第２の制御メッセージを受信する
ようにさらに構成され、
第２の制御メッセージは、第２の端末装置の下りリンクチャネル情報を取得するように第１の端末装置に命令するために使用される。
【００２６】
この実現方式において、ネットワーク装置の制御メッセージが、第２の端末装置の下りリンクチャネル情報を取得するように第１の端末装置をトリガするために受信される。
【００２７】
第１の態様又は第１の態様の第１乃至第４の可能な実現方式のうちいずれか１つを参照し、第６の可能な実現方式において、送受信機モジュールは、
処理モジュールが第２の端末装置を決定した後、第２の端末装置の下りリンクチャネル情報をネットワーク装置に送出するように第２の端末装置に命令する
ようにさらに構成される。
【００２８】
第１の態様又は第１の態様の前述の可能な実現方式のうちいずれか１つを参照し、第８の可能な実現方式において、送受信機モジュールは、
第１の端末装置の下りリンクチャネル情報をネットワーク装置に送出する
ようにさらに構成され、
第１の端末装置の下りリンクチャネル情報は、ＭＵ‐ＭＩＭＯ技術を使用することにより第１の端末装置のデータストリームを第２の端末装置に送出するためにネットワーク装置により使用される。
【００２９】
ネットワーク装置がＭＵ‐ＭＩＭＯ技術を使用するとき、第１の端末装置の下りリンクチャネルが、第２の端末装置の下りリンクチャネル上で送信されるデータストリームに対する干渉を生成する。ゆえに、この実現方式では、ネットワーク装置は、第１の端末装置の取得された下りリンクチャネル情報に基づき、ネットワーク装置がＭＵ‐ＭＩＭＯ技術を使用することにより第１の端末装置のデータストリームを第２の端末装置に送出するとき、第１の端末装置の下りリンクチャネルによりもたらされる干渉を低減することができる。
【００３０】
第１の態様又は第１の態様の前述の可能な実現方式のうちいずれか１つを参照し、第９の可能な実現方式において、第２の端末装置はデータ送信要件を有し、あるいは第２の端末装置はデータ送信要件を有さない。
【００３１】
この可能な実現方式において、第２の端末装置がデータ送信要件を有する場合、第２の端末装置は、第２の端末装置の下りリンクデータストリームを受信することに追加で第１の端末装置の下りリンクデータストリームを受信することができる。このように、第２の端末装置のデータ送信能力が十分に利用でき、これにより、通信システムの全体スループットを増加させる。
【００３２】
この可能な実現方式において、第２の端末装置がデータ送信要件を有さない場合、現在のＬＴＥシステムの処理方式に基づき、第１の端末装置のみがデータ送信要件を有するとき、ＭＵ‐ＭＩＭＯは実際実現できず、ＳＵ‐ＭＩＭＯに格下げされることのみ可能である。しかしながら、この可能な実現方式では、第２の端末装置がデータ送信要件を有さないときさえ、第２の端末装置は、第１の端末装置の下りリンクデータストリームを送信するためにさらに使用され得る。このように、少なくとも２つの端末装置がＭＵ‐ＭＩＭＯを実現し、第２の端末装置のデータ送信能力が利用され、通信システムの全体スループットが増加される。
【００３３】
第２の態様によれば、この出願は第２の端末装置を提供し、該第２の端末装置は、
第１の端末装置を扱うネットワーク装置から、第１の端末装置のかつＭＵ‐ＭＩＭＯ技術を使用することによりネットワーク装置により送出されるデータストリームを、第２の端末装置が受信すると決定するように構成された処理モジュールと、
第１の端末装置のかつＭＵ‐ＭＩＭＯ技術を使用することによりネットワーク装置により送出されるデータストリームを受信するように構成された受信モジュールと、
第１の端末装置のかつ受信モジュールにより受信されるデータストリームを第１の端末装置に送出するように構成された送出モジュールと、
を含む。
【００３４】
この実現方式において、第２の端末装置は、第１の端末装置のＭＵ‐ＭＩＭＯ下りリンクデータ送信に関与する。第１の端末装置のデータストリームのみが送信され、あるいは第２の端末装置の比較的少量のデータのみが送信されるとしても、第２の端末装置とネットワーク装置との間のチャネルが浪費されず、代わりに、第１の端末装置のデータストリームを送信するのを助けるために使用される。これは、ネットワーク装置がＭＵ‐ＭＩＭＯ技術を使用することによりデータストリームを複数のＵＥに配信することができないためＭＵ‐ＭＩＭＯがＳＵ‐ＭＩＭＯに格下げされる問題の発生を回避し、これにより、通信システムのスループットを増加させる。
【００３５】
さらに、これは、複数のＵＥがデータ送信要件を同時に有するがいくつかのＵＥが比較的低いデータ送信要件を有するシナリオにおいて、比較的低いデータ送信要件を有するＵＥの送信能力が十分に利用されないことをさらに回避し、これにより、通信システムのスループットをさらに増加させる。
【００３６】
第２の態様を参照し、第１の可能な実現方式において、送出モジュールは、受信モジュールが第１の端末装置のデータストリームを受信する前、第２の端末装置の下りリンクチャネル情報をネットワーク装置に送出するようにさらに構成され、第２の端末装置の下りリンクチャネル情報は、ＭＵ‐ＭＩＭＯ技術を使用することにより第１の端末装置のデータストリームを第２の端末装置に送出するためにネットワーク装置により使用される。
【００３７】
この可能な実現方式において、第２の端末装置がデータ送信要件を有するかどうかにかかわらず、第２の端末装置は、第２の端末装置の下りリンクチャネル情報をネットワーク装置に送出する。このように、ネットワーク装置は、第２の端末装置の下りリンクチャネル情報に基づき、データストリームがＭＵ‐ＭＩＭＯ技術を使用することにより並列に第１の端末装置及び第２の端末装置に配信され得るかどうかを決定することができる。
【００３８】
第２の態様の第１の可能な実現方式を参照し、第２の可能な実現方式において、受信モジュールは、送出モジュールが第２の端末装置の下りリンクチャネル情報をネットワーク装置に送出する前、第１の端末装置又はネットワーク装置により送出された通知を受信するようにさらに構成され、通知は、第２の端末装置の下りリンクチャネル情報をネットワーク装置に送出するように第２の端末装置に命令するために使用される。
【００３９】
第２の態様の第１の可能な実現方式を参照し、第３の可能な実現方式において、送出モジュールは、
第１の端末装置が第１の端末装置の下りリンクチャネル情報をネットワーク装置に送出したと処理モジュールが確認した後、第２の端末装置の下りリンクチャネル情報をネットワーク装置に送出する
ように具体的に構成され、
第２の端末装置の下りリンクチャネル情報は、ＭＵ‐ＭＩＭＯ技術を使用することにより第１の端末装置のデータストリームを第２の端末装置に送出するためにネットワーク装置により使用される。
【００４０】
この可能な実現方式において、第１の端末装置が第１の端末装置の下りリンクチャネル情報をネットワーク装置に送出したと習得した後、第２の端末装置は、第２の端末装置の下りリンクチャネル情報をネットワーク装置に送出する。これは、第２の端末装置が無用な下りリンクチャネル情報を送出し、第２の端末装置の処理能力が浪費され、第２の端末装置とネットワーク装置との間の上りリンクリソースが占有されることを回避する。
【００４１】
第２の態様又は第２の態様の前述の可能な実現方式のうちいずれか１つを参照し、第４の可能な実現方式において、
送出モジュールは、送出モジュールが第１の端末装置のかつ受信モジュールにより受信されるデータストリームを第１の端末装置に送出する前、第２の補助通知メッセージをネットワーク装置に送出するようにさらに構成され、
第２の補助通知メッセージは、第２の端末装置が第１の端末装置のかつＭＵ‐ＭＩＭＯ技術を使用することによりネットワーク装置により送出されるデータストリームを受信することができ、第１の端末装置のデータストリームを第１の端末装置に送出することができるとネットワーク装置に通知するために使用される。
【００４２】
第２の態様又は第２の態様の前述の可能な実現方式のうちいずれか１つを参照し、第５の可能な実現方式において、
第２の端末装置はデータ送信要件を有し、あるいはデータ送信要件を有さない。
【００４３】
この可能な実現方式において、第２の端末装置がデータ送信要件を有する場合、第２の端末装置は、第２の端末装置の下りリンクデータストリームを受信することに追加で第１の端末装置の下りリンクデータストリームを受信することができる。このように、第２の端末装置のデータ送信能力が十分に利用でき、これにより、通信システムの全体スループットを増加させる。
【００４４】
この可能な実現方式において、第２の端末装置がデータ送信要件を有さない場合、現在のＬＴＥシステムの処理方式に基づき、第１の端末装置のみがデータ送信要件を有するとき、ＭＵ‐ＭＩＭＯは実際実現できず、ＳＵ‐ＭＩＭＯに格下げされることのみ可能である。しかしながら、この可能な実現方式では、第２の端末装置がデータ送信要件を有さないときさえ、第２の端末装置は、第１の端末装置の下りリンクデータストリームを送信するためにさらに使用され得る。このように、複数の端末装置がデータ送信要件を有し、ＭＵ‐ＭＩＭＯが実現でき、第２の端末装置のデータ送信能力が利用され、通信システムの全体スループットが増加される。
【００４５】
第３の態様によれば、この出願はネットワーク装置を提供し、該ネットワーク装置は、
第２の端末装置を決定するように構成された処理モジュールであり、第２の端末装置は、ネットワーク装置から、第１の端末装置のかつＭＵ‐ＭＩＭＯ技術を使用することによりネットワーク装置により送出されるデータストリームを受信するように構成される、処理モジュールと、
ＭＵ‐ＭＩＭＯ技術を使用することにより第１の端末装置のデータストリームを第２の端末装置に送出するように構成された送受信機モジュールと、
を含む。
【００４６】
この実現方式において、第２の端末装置は、第１の端末装置のＭＵ‐ＭＩＭＯ下りリンクデータ送信に関与する。第１の端末装置のデータストリームのみが送信され、あるいは第２の端末装置の比較的少量のデータのみが送信されるとしても、第２の端末装置とネットワーク装置との間のチャネルが浪費されず、代わりに、第１の端末装置のデータストリームを送信するのを助けるために使用される。これは、ネットワーク装置がＭＵ‐ＭＩＭＯ技術を使用することによりデータストリームを複数のＵＥに配信することができないためＭＵ‐ＭＩＭＯがＳＵ‐ＭＩＭＯに格下げされる問題の発生を回避し、これにより、通信システムのスループットを増加させる。
【００４７】
さらに、これは、複数のＵＥがデータ送信要件を同時に有するがいくつかのＵＥが比較的低いデータ送信要件を有するシナリオにおいて、比較的低いデータ送信要件を有するＵＥの送信能力が十分に利用されないことをさらに回避し、これにより、通信システムのスループットをさらに増加させる。
【００４８】
第３の態様を参照し、第１の可能な実現方式において、
送受信機モジュールは：処理モジュールが第２の端末装置を決定する前、第１の制御メッセージを第１の端末装置に送出することであって、第１の制御メッセージは、第２の端末装置を決定するように第１の端末装置に命令し；第１の端末装置から、第１の制御メッセージに応答して第１の端末装置により送出される第１の補助通知メッセージを受信することであって、第１の補助通知メッセージは、第２の端末装置がネットワーク装置から第１の端末装置のデータを受信するとネットワーク装置に通知するために使用される；ようにさらに構成され、
処理モジュールは、送受信機モジュールにより受信された通知メッセージに基づき第２の端末装置を決定するように具体的に構成される。
【００４９】
第３の態様を参照し、第２の可能な実現方式において、
送受信機モジュールは、処理モジュールが第２の端末装置を決定する前、第２の端末装置により送出された第２の補助通知メッセージを受信するようにさらに構成され、第２の補助通知メッセージは、第２の端末装置が第１の端末装置のかつＭＵ‐ＭＩＭＯ技術を使用することによりネットワーク装置により送出されるデータストリームを受信することができ、第１の端末装置のデータストリームを第１の端末装置に送出することができるとネットワーク装置に通知するために使用され、
処理モジュールは、第２の補助通知メッセージに基づき第２の端末装置を決定するように具体的に構成される。
【００５０】
第３の態様又は第３の態様の前述の可能な実現方式のうちいずれか１つを参照し、第３の可能な実現方式において、送受信機モジュールは、ＭＵ‐ＭＩＭＯ技術を使用することにより第１の端末装置のデータストリームを第２の端末装置に送出する前、
第２の制御メッセージを第１の端末装置に送出することであって、第２の制御メッセージは、第２の端末装置の下りリンクチャネル情報を取得するように第１の端末装置に命令するために使用され、
第２の端末装置のかつ第２の制御メッセージに応答して第１の端末装置により送出される下りリンクチャネル情報を受信することであって、第２の端末装置の下りリンクチャネル情報は、ＭＵ‐ＭＩＭＯ技術を使用することにより第１の端末装置のデータストリームを第２の端末装置に送出するためにネットワーク装置により使用される
ようにさらに構成される。
【００５１】
この可能な実現方式において、第１の端末装置は第２の端末装置の下りリンクチャネル情報を送出し、それにより、第２の端末装置が下りリンクチャネル情報をネットワーク装置に送出することができないとき、ネットワーク装置は第２の端末装置の下りリンクチャネル情報を依然として習得することができ、ゆえに、ＭＵ‐ＭＩＭＯ技術を使用することにより、第２の端末装置の取得された下りリンクチャネル情報に基づき、第１の端末装置のデータストリームを第２の端末装置に送出することができる。
【００５２】
第３の態様又は第３の態様の第１若しくは第２の可能な実現方式を参照し、第４の可能な実現方式において、送受信機モジュールは、
ＭＵ‐ＭＩＭＯ技術を使用することにより第１の端末装置のデータストリームを第２の端末装置に送出する前、第２の端末装置により送出された第２の端末装置の下りリンクチャネル情報を受信する
ようにさらに構成され、
第２の端末装置の下りリンクチャネル情報は、ＭＵ‐ＭＩＭＯ技術を使用することにより第１の端末装置のデータストリームを第２の端末装置に送出するためにネットワーク装置により使用される。
【００５３】
第３の態様又は第３の態様の前述の可能な実現方式を参照し、第５の可能な実現方式において、送受信機モジュールは、
ＭＵ‐ＭＩＭＯ技術を使用することにより第１の端末装置のデータストリームを第２の端末装置に送出する前、第１の端末装置により送出された第１の端末装置の下りリンクチャネル情報を受信する
ようにさらに構成され、
第１の端末装置の下りリンクチャネル情報は、ＭＵ‐ＭＩＭＯ技術を使用することにより第１の端末装置のデータストリームを第２の端末装置に送出するためにネットワーク装置により使用される。
【００５４】
この可能な実現方式において、ネットワーク装置は、ＭＵ‐ＭＩＭＯ技術を使用することにより、第１の端末装置の取得された下りリンクチャネル情報に基づき、第１の端末装置のデータストリームを第２の端末装置に送出することができる。
【００５５】
第３の態様又は第３の態様の前述の可能な実現方式を参照し、第６の可能な実現方式において、第２の端末装置はデータ送信要件を有し、あるいは第２の端末装置はデータ送信要件を有さない。
【００５６】
この可能な実現方式において、第２の端末装置がデータ送信要件を有する場合、第２の端末装置は、第２の端末装置の下りリンクデータストリームを受信することに追加で第１の端末装置の下りリンクデータストリームを受信することができる。このように、第２の端末装置のデータ送信能力が十分に利用でき、これにより、通信システムの全体スループットを増加させる。
【００５７】
この可能な実現方式において、第２の端末装置がデータ送信要件を有さない場合、現在のＬＴＥシステムの処理方式に基づき、第１の端末装置のみがデータ送信要件を有するとき、ＭＵ‐ＭＩＭＯは実際実現できず、ＳＵ‐ＭＩＭＯに格下げされることのみ可能である。しかしながら、この可能な実現方式では、第２の端末装置がデータ送信要件を有さないときさえ、第２の端末装置は、第１の端末装置の下りリンクデータストリームを送信するためにさらに使用され得る。このように、複数の端末装置がデータ送信要件を有し、ＭＵ‐ＭＩＭＯが実現でき、第２の端末装置のデータ送信能力が利用され、通信システムの全体スループットが増加される。
【００５８】
第１の態様乃至第３の態様、及び第１の態様乃至第３の態様の各々の可能な実現方式において、第１の端末装置、第２の端末装置、及びネットワーク装置は別個に提供される。第１の端末装置、第２の端末装置、及びネットワーク装置の機能モジュールの機能は、第１の端末装置、第２の端末装置、及びネットワーク装置によりそれぞれ実行されるデータ送信方法のステップとして使用されてよい。詳細はここで説明されない。
【図面の簡単な説明】
【００５９】
【図１】ＳＵ‐ＭＩＭＯ技術を使用することにより基地局により実行される下りリンクデータ送信の概略図である。
【図２】ＭＵ‐ＭＩＭＯ技術を使用することにより基地局により実行される下りリンクデータ送信の概略図である。
【図３】この出願において提供される無線ネットワークのネットワークアーキテクチャ図である。
【図４Ａ】この出願における端末装置グループの概略図である。
【図４Ｂ】この出願における端末装置グループの概略図である。
【図４Ｃ】この出願における端末装置グループの概略図である。
【図４Ｄ】この出願における端末装置グループの概略図である。
【図５Ａ】この出願におけるデータストリームを配信するネットワーク装置及びデータストリームを転送する端末装置のフローチャートである。
【図５Ｂ】この出願におけるデータストリームを配信するネットワーク装置及びデータストリームを転送する端末装置のフローチャートである。
【図６】この出願に適用できる簡素化されたシナリオの概略図である。
【図７】この出願において提供される第１の端末装置の概略構成図である。
【図８】特定の実現方式を使用し、この出願において提供される第１の端末装置の概略構成図である。
【図９】この出願において提供される第２の端末装置の概略構成図である。
【図１０】特定の実現方式を使用し、この出願において提供される第２の端末装置の概略構成図である。
【図１１】この出願において提供されるネットワーク装置の概略構成図である。
【図１２】特定の実現方式を使用し、この出願において提供されるネットワーク装置の概略構成図である。
【発明を実施するための形態】
【００６０】
この出願の目的、解決策、及び利点をより理解可能にするために、下記で詳細な説明を提供する。詳細な説明は、ブロック図及びフローチャートなどの添付図面、及び／又は例を使用することにより、装置及び／又は方法の様々な実現方式を提供する。これらブロック図、フローチャート、及び／又は例は、１つ以上の機能及び／又は動作を含む。当業者は、ブロック図、フローチャート、及び／又は例の中の各機能及び／又は動作が様々なハードウェア、ソフトウェア、ファームウェア、又はこれらの任意の組み合わせを使用することにより独立して又は共同的に実行できることを理解し得る。
【００６１】
この出願において、用語「システム」及び「ネットワーク」は、この明細書中で交換可能にしばしば使用される。この明細書における用語「及び／又は」は、関連づけられた対象を説明するために関連づけ関係を単に説明し、３つの関係が存在し得ることを表す。例えば、Ａ及び／又はＢは下記の３つの場合を表し得る：Ａのみが存在する、Ａ及びＢの双方が存在する、並びにＢのみが存在する。さらに、この明細書における文字「／」は、関連づけられた対象間の「又は」関係を一般に示す。
【００６２】
下記で添付図面を参照してこの出願をより詳細に説明する。
【００６３】
図３は、この出願に適用可能である無線ネットワークシステムの概略ネットワークアーキテクチャ図を示す。図３に示されるように、無線ネットワークシステム３０は、ネットワーク装置３０３、（図内でＴとして識別される）第１の端末装置３０１、及び（図内でＡ１、・・・、Ａｉ、・・・及びＡＮとして識別される）Ｎ個の第２の端末装置３０２を含み、Ｎは正の整数である。
【００６４】
簡潔さのため、下記の実現方式において、変数ｉが、１からＮの任意の整数の代わりをするために使用される。ゆえに、下記の説明における変数ｉの様々な場合は、ｉが１からＮの任意の整数である場合に適用可能である。
【００６５】
簡素さのため、１つのネットワーク装置３０３のみが図３に示されるが、実際、無線ネットワークシステム３０に１つ以上のネットワーク装置３０３が存在してよく、１つの第１の端末装置３０１のみが図３に示されるが、実際、無線ネットワークシステム３０に１つ以上の第１の端末装置３０１が存在してよい。
【００６６】
図３に示される無線ネットワークシステム３０において、第２の端末装置３０２は、第１の端末装置３０１と双方向的に直接通信してよく、ネットワーク装置３０３により実行される転送を必要としない。任意選択で、第２の端末装置３０２は、第３世代パートナーシッププロジェクト（3rd  Generation  Partnership  Project、３ＧＰＰ）のデバイスツーデバイス（Device-to-Device、Ｄ２Ｄ）プロトコルに基づき通信を実行してよく、あるいは電気電子技術者協会（Institute  of  Electrical  and  Electronics  Engineers、ＩＥＥＥ）のワイヤレスフィデリティ（Wireless  Fidelity、Ｗｉ‐Ｆｉ）プロトコルに基づき通信を実行してよい。第２の端末装置３０２と第１の端末装置３０１との間の通信は近距離通信に属してよく、ゆえに、ネットワーク装置３０３と第２の端末装置３０２との間の長距離通信よりもより良い通信品質を有し得る。具体的に、第２の端末装置３０２と第１の端末装置３０１との間のデータ送信は、ネットワーク装置と第２の端末装置３０２との間のデータ送信、及びネットワーク装置と第１の端末装置３０１との間のデータ送信よりもより高いデータ送信レート及び／又はより低い送信電力を有する。
【００６７】
図３に示される無線ネットワークシステム３０において、第１の端末装置３０１とネットワーク装置３０３との間の無線通信、及び第２の端末装置３０２とネットワーク装置３０３との間の無線通信に使用される通信標準は、これらに限られないが下記を含む：
グローバルシステムフォーモバイルコミュニケーションズ（Global  System  for  Mobile  communications、ＧＳＭ）、符号分割多元接続（Code  Division  Multiple  Access、ＣＤＭＡ）、ＩＳ‐９５、符号分割多元接続（Code  Division  Multiple  Access、ＣＤＭＡ）２０００、時分割同期符号分割多元接続（Time  Division-Synchronous  Code  Division  Multiple  Access、ＴＤ‐ＳＣＤＭＡ）、ワイドバンド符号分割多元接続（Wideband  Code  Division  Multiple  Access、ＷＣＤＭＡ）、時分割複信ロングタームエボリューション（Time  Division  Duplex-Long  Term  Evolution、ＴＤＤ  ＬＴＥ）、周波数分割複信ロングタームエボリューション（Frequency  Division  Duplex-Long  Term  Evolution、ＦＤＤ  ＬＴＥ）、ロングタームエボリューションアドバンスト（Long  Term  Evolution  Advanced、ＬＴＥ‐Ａｄｖａｎｃｅｄ）、パーソナルハンディフォンシステム（Personal  Handyphone  System、ＰＨＳ）、８０２．１１シリーズプロトコルにより規定されたワイヤレスフィデリティ（Wireless  Fidelity、Ｗｉ‐Ｆｉ）、ワールドワイドインターオペラビリティフォーマイクロウェーブアクセス（Worldwide  Interoperability  for  Microwave  Access、ＷｉＭＡＸ）、及び将来展開される様々な無線通信標準。
【００６８】
第１の端末装置３０１及び第２の端末装置３０２は、無線端末、無線ローカルエリアネットワークアクセスポイント、又は中継（relay）ノードでよい。無線端末は、ユーザに音声及び／又はデータ接続性を提供する装置、無線接続機能を有するハンドヘルド装置、又は無線モデムに接続される他の処理装置でよい。無線端末は、無線アクセスネットワーク（ＲＡＮ、Radio  Access  Network）を使用することにより１つ以上のコアネットワークと双方向的に通信することができる。無線端末は、移動電話（「セルラー」電話とも呼ばれる）などの移動端末でよく、あるいは、移動端末を有するコンピュータが、例えば、ポータブルの、ポケットサイズの、ハンドヘルドの、コンピュータ組み込みの、又は車載の移動装置でよく、これは、無線アクセスネットワークとの間で音声及び／又はデータを交換する。例えば、無線端末は、パーソナル通信サービス（ＰＣＳ、Personal  Communications  Service）電話、コードレス電話、セッション開始プロトコル（ＳＩＰ）電話、無線ローカルループ（ＷＬＬ、Wireless  Local  Loop）局、又はパーソナルデジタルアシスタント（ＰＤＡ、Personal  Digital  Assistant）などの装置でよい。無線端末は、加入者ユニット（Subscriber  Unit）、加入者局（Subscriber  Station）、移動局（Mobile  Station）、移動コンソール（Mobile）、遠隔局（Remote  Station）、遠隔端末（Remote  Terminal）、アクセス端末（Access  Terminal）、ユーザ端末（User  Terminal）、ユーザエージェント（User  Agent）、ユーザ装置（User  Device）、又はユーザ機器（User  Equipment）と呼ばれることもある。
【００６９】
ネットワーク装置３０３は、基地局、又は基地局を制御するように構成された無線リソース管理装置を含んでよく、あるいは基地局と基地局を制御するように構成された無線リソース管理装置とを含んでよい。基地局は、マクロ基地局でよい。基地局は、別法として、マイクロ基地局、例えば、スモールセル（small  cell）アクセスポイント、又はマイクロセル（pico  cell）アクセスポイントでよい。基地局は、別法として、ホーム基地局、例えば、ホームノードＢ（Home  NodeB、ＨＮＢ）又はホームｅＮｏｄｅＢ（Home  eNodeB、ＨｅＮＢ）でよい。ネットワーク装置３０３は、中継（relay）ノードでもよい。
【００７０】
例えば、ＴＤＤ  ＬＴＥ、ＦＤＤ  ＬＴＥ、又はＬＴＥ‐ＡなどのＬＴＥシステムについて、本発明の実施例で提供される無線ネットワークシステム３０におけるネットワーク装置３０３は進化型ノードＢ（evolved  NodeB、ｅＮｏｄｅＢ）でよく、第１の端末装置３０１及び第２の端末装置３０２はＵＥでよい。ＴＤ‐ＳＣＤＭＡシステム又はＷＣＤＭＡシステムについて、本発明の実施例で提供される無線ネットワークシステム３０におけるネットワーク装置３０３はノードＢ（NodeB）及び／又は無線ネットワークコントローラ（Radio  Network  Controller、ＲＮＣ）を含んでよく、第１の端末装置３０１及び第２の端末装置３０２はＵＥでよい。ＧＳＭシステムについて、本発明の実施例で提供される無線ネットワークシステム３０におけるネットワーク装置３０３はベーストランシーバ基地局（Base  Transceiver  Station、ＢＴＳ）及び／又は基地局コントローラ（Base  Station  Controller、ＢＳＣ）を含んでよく、第１の端末装置３０１及び第２の端末装置３０２は移動局（Mobile  Station、ＭＳ）でよい。Ｗｉ‐Ｆｉシステムについて、ネットワーク装置３０３はアクセスポイント（Access  Point、ＡＰ）及び／又はアクセスコントローラ（Access  Controller、ＡＣ）を含んでよく、第１の端末装置３０１及び第２の端末装置３０２は局（station、ＳＴＡ）でよい。
【００７１】
図３に示されるネットワークアーキテクチャにおいて、第１の端末装置３０１は、ネットワーク装置３０３により送出された第１のデータストリームＤ１、並びにＮ個の第２の端末装置３０２により送出されたＮ個の第２のデータストリームＤ２１、・・・、Ｄ２ｉ、・・・、及びＤ２Ｎを受信する。Ｎ個の第２のデータストリームは、ＭＵ‐ＭＩＭＯ技術を使用することによりネットワーク装置３０３により並列に送出されるＮ個の第３のデータストリームＤ３１、・・・、Ｄ３ｉ、・・・、及びＤ３Ｎに基づきＮ個の第２の端末装置により生成される。Ｎ個の第３のデータストリームＤ３１、・・・、Ｄ３ｉ、・・・、及びＤ３ＮとＮ個の第２のデータストリームＤ２１、・・・、Ｄ２ｉ、・・・、及びＤ２Ｎとは同じでよく、あるいは異なってよい。図３に示されるように、第２の端末装置Ａｉは、ネットワーク装置３０３から第３のデータストリームＤ３ｉを受信し、Ｄ３ｉに基づきＤ２ｉを生成し、Ｄ２ｉを第１の端末装置Ｔに送出する。
【００７２】
ネットワーク装置３０３と第２の端末装置３０２との間で使用される通信プロトコルが、第２の端末装置３０２と第１の端末装置３０１との間で使用される通信プロトコルと異なり得るため、Ｎ個の第２のデータストリームＤ２１、・・・、Ｄ２ｉ、・・・、及びＤ２ＮとＮ個の第３のデータストリームＤ３１、・・・、Ｄ３ｉ、・・・、及びＤ３Ｎとは、異なるデータストリームで表現され得る点に留意すべきである。しかしながら、表現の形式にかかわらず、Ｎ個の第２のデータストリームＤ２１、・・・、Ｄ２ｉ、・・・、及びＤ２ＮとＮ個の第３のデータストリームＤ３１、・・・、Ｄ３ｉ、・・・、及びＤ３Ｎとは、第１の端末装置３０１に向けられた情報を含み、第１の端末装置３０１に向けられたデータストリームである。
【００７３】
端末装置のために計画された識別子を節約する目的で、端末装置はグループで管理されてよい。例えば、第１の端末装置３０１及び第２の端末装置３０２は、３ＧＰＰにより規定されたＤ２Ｄプロトコル仕様に従い管理されてよい。詳細についてはＤ２Ｄプロトコル仕様を参照する。
【００７４】
任意選択で、図４Ａに示されるように、第１の端末装置３０１（Ｔ）及びＮ個の第２の端末装置３０２（Ａ１、・・・、Ａｉ、・・・及びＡＮ）は、第１の端末装置グループＧｒｏｕｐ１に属する。Ｇｒｏｕｐ１において、第１の端末装置３０１を除くすべての端末装置が補助条件を満たす。ゆえに、Ｎ個の第２の端末装置３０２は補助条件を満たす。
【００７５】
任意選択で、図４Ｂに示されるように、Ｎ個の第２の端末装置３０２（Ａ１、・・・、Ａｉ、・・・及びＡＮ）は第２の端末装置グループＧｒｏｕｐ２に属し、第１の端末装置３０１（Ｔ）はＧｒｏｕｐ２に属さない。Ｇｒｏｕｐ２内のすべての端末装置が補助条件を満たす。
【００７６】
任意選択で、図４Ｃに示されるように、第１の端末装置３０１はＮ個の異なる第３の端末装置グループ（ＴＧ１、・・・、ＴＧｉ、・・・及びＴＧＮ）に属し、第３の端末装置グループＴＧｉは第２の端末装置３０２Ａｉに対応している。第３の端末装置グループＴＧｉ内の端末装置はターゲット条件を満たす。
【００７７】
任意選択で、図４Ｄに示されるように、第１の端末装置３０１はＮ個の第４の端末装置グループ（ＴＡＧ１、・・・、ＴＡＧｉ、・・・及びＴＡＧＮ）に属し、第４の端末装置グループＴＡＧｉは第２の端末装置３０２Ａｉを含む。第４の端末装置グループＴＡＧｉにおいて、第２の端末装置３０２Ａｉを除く他の端末装置がターゲット条件を満たす。ゆえに、第１の端末装置３０１はターゲット条件を満たす。
【００７８】
補助条件は、下記条件のうち１つ以上を含んでよい：
端末装置と第１の端末装置３０１との間のデータ送信レートが第１のデータ送信レート閾値より大きい；
端末装置と第１の端末装置３０１との間の距離が第１の距離閾値より小さい；及び
端末装置の残電気量が電気量閾値より大きい。
【００７９】
ターゲット条件は、下記条件のうち１つ以上を含んでよい：
端末装置と第２の端末装置３０２Ａｉとの間のデータ送信レートが第２のデータ送信レート閾値より大きい；及び
端末装置と第２の端末装置３０２Ａｉとの間の距離が第２の距離閾値より小さい。
【００８０】
補助条件及びターゲット条件は、第２の端末装置３０２が第１の端末装置３０１のためにデータストリームを確実に及び効率的に転送できることを確保することができる。
【００８１】
Ｎ個の第２の端末装置Ａ１、・・・、Ａｉ、・・・及びＡＮの各々がデータ送信要件を有し、Ｎ個の第２の端末装置Ａ１、・・・、Ａｉ、・・・及びＡＮのいくつかがデータ送信要件を有し、あるいはＮ個の第２の端末装置Ａ１、・・・、Ａｉ、・・・及びＡＮのいずれもデータ送信要件を有さない。
【００８２】
図５Ａ及び図５Ｂは、この出願における、ＭＵ‐ＭＩＭＯ技術を使用することによりネットワーク装置によりデータストリームをＮ個の第２の端末装置３０２に配信し、Ｎ個の第２の端末装置３０２によりデータストリームを第１の端末装置３０１に転送する概略フローチャートである。
【００８３】
図５Ａ及び図５Ｂに示されるように、このプロセスは下記のステップを含み得る。
【００８４】
Ｓ５０１：ネットワーク装置３０３が、Ｍ個の第２の端末装置３０２が第１の端末装置３０１のためにデータストリームを転送することができると決定する。
【００８５】
Ｍ≧Ｎであり、Ｍ個の第２の端末装置３０２は、前述のＮ個の第２の端末装置３０２（Ａ１、・・・、Ａｉ、・・・及びＡＮ）を含む。Ｍ個の第２の端末装置３０２は、第１の端末装置３０１のまわりにあり、かつ第１の端末装置３０１のためにネットワーク装置３０３からのデータストリームを転送することができる端末装置であり、Ｍ個の第２の端末装置の中のＮ個の第２の端末装置３０２は、下りリンクデータ送信が実行されるとき、第１の端末装置３０１のためにネットワーク装置３０３からのデータストリームを転送する端末装置である。図５Ａ及び図５Ｂに示されるプロセスにおいて、Ｍ＝３及びＮ＝２の例が説明に使用される。
【００８６】
ネットワーク装置３０３は、複数の任意的な実現方式において、Ｍ個の第２の端末装置３０２が第１の端末装置３０１のために第１の端末装置３０１のデータストリームを送出することができると決定してよい。下記の任意的な実現方式１及び任意的な実現方式２は、ここで説明の例として使用される。
【００８７】
［任意的な実現方式１］
【００８８】
この任意的な実現方式１において、第１の端末装置３０１は、Ｍ個の第２の端末装置３０２が第１の端末装置３０１のためにデータストリームを転送することができるとネットワーク装置３０３に通知する。
【００８９】
ネットワーク装置３０３は、第１の制御メッセージを第１の端末装置３０１に送出してよい。メッセージは、データストリームを転送する第２の端末装置３０２を決定するように第１の端末装置３０１に命令する。ネットワーク装置３０３は、第１の制御メッセージにおいて第１の端末装置３０１の識別情報を搬送してよい。第１の制御メッセージを受信した後、第１の端末装置３０１は、メッセージで搬送された第１の端末装置３０１の識別情報に基づき、第１の端末装置３０１のためにデータストリームを転送することができる第２の端末装置３０２の決定をトリガする。第１の端末装置３０１は第１の制御メッセージに応答し、第１の補助通知メッセージをネットワーク装置３０３に送出する。第１の補助通知メッセージは、第１の端末装置により決定されたＭ個の第２の端末装置３０２が第１の端末装置３０１のために第１の端末装置のデータストリームを転送することができると示すために使用される。第１の補助通知メッセージを受信した後、ネットワーク装置３０３は、Ｍ個の第２の端末装置３０２が第１の端末装置３０１のためにデータストリームを転送することができると決定する。
【００９０】
別法として、第１の端末装置３０１は、ネットワーク装置３０３により送出された第１の制御メッセージを受信した後のみ第１の補助通知メッセージを送出する必要があるのでなく、第１の補助通知メッセージをネットワーク装置３０３に能動的に送出して（例えば、第１の補助通知メッセージを周期的に送出する）、第１の端末装置により決定されたＭ個の第２の端末装置３０２が第１の端末装置３０１のためにデータストリームを転送することができると示してよい。
【００９１】
第１の端末装置３０１は、下記の複数の解決策を使用して、Ｍ個の第２の端末装置３０２が第１の端末装置３０１のために第１の端末装置のデータストリームを転送すると決定してよい。第１の端末装置３０１が、Ｍ個の第２の端末装置３０２が第１の端末装置３０１のためにネットワーク装置３０３からの第１の端末装置のデータストリームを転送すると決定する前、ネットワーク装置３０３は、第１の制御メッセージを第１の端末装置に送出してよい。第１の制御メッセージは、Ｍ個の第２の端末装置３０２を決定するように第１の端末装置に命令する。第１の端末装置が第１の制御メッセージを受信しない場合、第１の端末装置はＭ個の第２の端末装置３０２を決定しなくてよい。
【００９２】
任意的な解決策１：
【００９３】
第１の端末装置３０１は、補助要求メッセージを少なくとも１つの周囲の端末装置にブロードキャストする。補助要求メッセージは、少なくとも１つの端末装置が第１の端末装置３０１のためにネットワーク装置３０３から第１の端末装置のデータストリームを受信し、第１の端末装置のデータストリームを第１の端末に転送することができるかどうかを少なくとも１つの端末装置に問い合わせるために使用される。
【００９４】
第１の端末装置３０１は、少なくとも１つの端末装置から、補助要求メッセージに応答してＭ個の第２の端末装置３０２により送出された補助応答メッセージを受信する。補助応答メッセージは、補助応答メッセージを送出した端末装置が第１の端末装置３０１のためにデータストリームを転送することができると第１の端末装置３０１に通知するために使用される。ゆえに、第１の端末装置３０１は、Ｍ個の第２の端末装置３０２が第１の端末装置のためにデータストリームを転送することができると決定する。
【００９５】
任意的な解決策２：
【００９６】
第１の端末装置３０１は、Ｍ個の第２の端末装置３０２により送出された第１の補助指示メッセージを受信する。第１の補助指示メッセージは、第１の補助指示メッセージを送出した端末装置が第１の端末装置３０１のためにデータストリームを転送することができると示すために使用される。第１の端末装置３０１は、Ｍ個の第２の端末装置３０２により送出された、受信した第１の補助指示メッセージに基づき、Ｍ個の第２の端末装置３０２が第１の端末装置３０１のためにデータストリームを転送することができると決定する。
【００９７】
任意選択で、第１の補助指示メッセージに応答して第１の端末装置３０１により送出された補助肯定応答（auxiliary  acknowledgement）メッセージを受信した後、第２の端末装置３０２は、第２の端末装置３０２が第１の端末装置３０１のためにデータストリームを転送することができると決定してよい。
【００９８】
任意的な解決策３：
【００９９】
第１の端末装置３０１は、複数の第２の端末装置３０２（複数の第２の端末装置３０２はＭ個の第２の端末装置３０２を含む）により送出された第２の補助指示メッセージを受信する。第２の補助指示メッセージは、第２の補助指示メッセージを送出した端末装置が第１の端末装置３０１のためにデータストリームを転送することを予期すると示すために使用される。
【０１００】
第１の端末装置３０１が、複数の第２の端末装置３０２により送出された第２の補助指示メッセージを受信した後、第２の端末装置３０２が前述の「補助条件」を満たすとき、第１の端末装置３０１は、第２の端末装置３０２が第１の端末装置３０１のためにデータストリームを転送することができると決定する。
【０１０１】
任意選択で、第２の補助指示メッセージに応答して第１の端末装置３０１により送出された補助肯定応答メッセージを受信した後、第２の端末装置３０２は、第２の端末装置３０２が第１の端末装置３０１のためにデータストリームを転送することができると決定してよい。
【０１０２】
任意選択で、第１の補助通知メッセージは、下記情報のうち少なくとも１つを含む。
【０１０３】
情報１：Ｍ個の第２の端末装置３０２の中の各端末装置の識別情報。
【０１０４】
ネットワーク装置３０３は、情報１と、第１の補助通知メッセージを送出する第１の端末装置３０１とに基づき、Ｍ個の第２の端末装置３０２が第１の端末装置３０１のためにデータストリームを転送することができると決定してよい。
【０１０５】
情報２：第１の端末装置３０１の識別情報。
【０１０６】
ネットワーク装置３０３は、第１の端末装置３０１及びＭ個の第２の端末装置３０２が第１の端末装置グループＧｒｏｕｐ１に属すると事前に習得し得る。ネットワーク装置３０３は、第１の端末装置３０１の識別情報に基づき、Ｇｒｏｕｐ１内の他の端末装置、すなわちＭ個の第２の端末装置３０２が、第１の端末装置３０１のためにデータストリームを転送することができると決定してよい。
【０１０７】
別法として、ネットワーク装置３０３は、第１の端末装置３０１がＭ個の第３の端末装置グループＴＧ１、・・・、ＴＧｉ、・・・及びＴＧＭに属し、第３の端末装置グループＴＧｉは第２の端末装置３０２Ａｉに対応していると事前に習得する。ネットワーク装置３０３は、第１の端末装置３０１の識別情報に基づき、Ｍ個の第３の端末装置グループＴＧ１、・・・、ＴＧｉ、・・・及びＴＧＭと、Ｍ個の第３の端末装置グループＴＧ１、・・・、ＴＧｉ、・・・及びＴＧＭにそれぞれ対応する第２の端末装置３０２が第１の端末装置３０１のためにデータストリームを転送することができることとを決定してよい。
【０１０８】
情報３
【０１０９】
Ｍ個の第２の端末装置３０２及び第１の端末装置３０１が属する第１の端末装置グループＧｒｏｕｐ１の識別情報。
【０１１０】
ネットワーク装置３０３は、Ｇｒｏｕｐ１が第１の端末装置３０１及びＭ個の第２の端末装置３０２を含むと事前に習得し得る。
【０１１１】
情報４
【０１１２】
Ｍ個の第２の端末装置３０２が属する第２の端末装置グループＧｒｏｕｐ２の識別情報。
【０１１３】
ネットワーク装置３０３は、Ｇｒｏｕｐ２がＭ個の第２の端末装置３０２を含むと事前に習得し、Ｇｒｏｕｐ２の識別情報に基づき、Ｇｒｏｕｐ２内のＭ個の第２の端末装置３０２が、第１の補助通知メッセージを送出する第１の端末装置３０１のためにデータストリームを転送し得ると決定してよい。
【０１１４】
［任意的な実現方式２］
【０１１５】
任意的な実現方式２において、Ｍ個の第２の端末装置３０２は、Ｍ個の第２の端末装置３０２が第１の端末装置３０１のためにデータストリームを転送することができるとネットワーク装置３０３に別個に通知する。
【０１１６】
任意選択で、ネットワーク装置３０３は、第２の補助情報要求メッセージを複数の第２の端末装置３０２（Ｍ個の第２の端末装置３０２を含む）に送出してよい。Ｍ個の第２の端末装置３０２は、第２の補助情報要求メッセージに応答して第２の補助通知メッセージを別個に送出する。第２の補助通知メッセージは、Ｍ個の第２の端末装置３０２が第１の端末装置３０１のためにデータストリームを転送することができると示すために使用される。第２の補助通知メッセージを受信した後、ネットワーク装置３０３は、Ｍ個の第２の端末装置３０２が第１の端末装置３０１のためにデータストリームを転送することができると決定する。任意選択で、第２の端末装置３０２が第２の補助通知メッセージを送出するとき、第２の端末装置３０２がデータストリームを転送することができる端末装置に関する情報が示されてよい。情報は、第１の端末装置３０１の情報を含む。受信した第２の補助通知メッセージが第１の端末装置３０１の情報を含むとき、ネットワーク装置３０３は、第２の端末装置３０２が第１の端末装置３０１のためにデータストリームを転送することができると決定する。
【０１１７】
別法として、Ｍ個の第２の端末装置３０２は、ネットワーク装置３０３により送出された第２の補助情報要求メッセージを受信した後のみ第２の補助通知メッセージを送出する必要があるのでなく、第２の補助通知メッセージを能動的に送出してよい（例えば、第２の補助通知メッセージを周期的に送出する）。
【０１１８】
第２の補助通知メッセージは、下記情報のうち少なくとも１つを含んでよい。
【０１１９】
情報１
【０１２０】
第２の補助通知メッセージを送出する第２の端末装置３０２の識別情報。ネットワーク装置３０３は、第２の端末装置３０２の識別情報に基づき、第２の端末装置３０２が第１の端末装置３０１のためにデータストリームを転送することができると決定してよい。
【０１２１】
情報２
【０１２２】
第１の端末装置３０１の識別情報。ネットワーク装置３０３は、第１の端末装置３０１の識別情報に基づき、及び第２の補助通知メッセージを送出する第２の端末装置３０２に基づき、第２の端末装置３０２が第１の端末装置３０１のためにデータストリームを転送することができると決定してよい。
【０１２３】
情報３
【０１２４】
第２の補助通知メッセージを送出する第２の端末装置３０２に対応する第３の端末装置グループＴＧの識別情報。
【０１２５】
ネットワーク装置３０３は、第３の端末装置グループと第２の端末装置３０２との間の対応関係を事前に習得し、ＴＧに対応する第２の端末装置３０２が第１の端末装置３０１のためにデータストリームを転送することができると決定する。
【０１２６】
情報４
【０１２７】
第２の補助通知メッセージを送出する第２の端末装置３０２が属する第４の端末装置グループＴＡＧの識別情報。
【０１２８】
ネットワーク装置３０３は、ＴＡＧと第２の端末装置３０２との間の対応関係を事前に習得し、ＴＡＧに含まれる第２の端末装置３０２が第１の端末装置３０１のためにデータストリームを転送することができると決定する。
【０１２９】
Ｓ５０２：ネットワーク装置３０３が、下りリンクチャネル情報を報告するようにＭ個の第２の端末装置３０２に命令する。
【０１３０】
例えば、ネットワーク装置３０３は、チャネル情報報告要求メッセージをＭ個の第２の端末装置３０２に送出して、下りリンクチャネル情報の報告を要求してよい。
【０１３１】
Ｓ５０２’．ネットワーク装置３０３が、下りリンクチャネル情報を報告するように第１の端末装置３０１に命令する。
【０１３２】
例えば、ネットワーク装置３０３は、チャネル情報報告要求メッセージを第１の端末装置３０１に送出して、下りリンクチャネル情報の報告を要求してよい。
【０１３３】
Ｓ５０３：ネットワーク装置３０３又は第１の端末装置３０１から通知を受信した後、例えば、チャネル情報報告要求メッセージを受信した後、Ｍ個の第２の端末装置３０２の各々が、第２の端末装置３０２とネットワーク装置３０３との間の下りリンクチャネルの下りリンクチャネル情報をネットワーク装置３０３に報告する。
【０１３４】
ここで、チャネル情報報告要求メッセージは、第２の端末装置３０２とネットワーク装置３０３との間の下りリンクチャネルの情報又は第１の端末装置３０１とネットワーク装置３０３との間の下りリンクチャネルの情報を報告するように第２の端末装置３０２又は第１の端末装置３０１に要求するために使用されてよく、あるいは、
チャネル情報報告要求メッセージは、下りリンクチャネル情報を報告するように第１の端末装置３０１及びＭ個の第２の端末装置３０２が属する第１の端末装置グループＧｒｏｕｐ１内の端末装置に要求するために使用されてよく、メッセージはＧｒｏｕｐ１の識別情報を搬送してよく、メッセージを受信した後、第２の端末装置３０２は、第２の端末装置３０２がＧｒｏｕｐ１に属すると第２の端末装置３０２が事前に習得するため、下りリンクチャネル情報を報告し、あるいは、
チャネル情報報告要求メッセージは、下りリンクチャネル情報を報告するようにＭ個の第２の端末装置３０２が属する第２の端末装置グループＧｒｏｕｐ２内の端末装置に要求するために使用されてよく、メッセージはＧｒｏｕｐ２の識別情報を搬送してよく、メッセージを受信した後、第２の端末装置３０２は、第２の端末装置３０２がＧｒｏｕｐ２に属すると第２の端末装置３０２が事前に習得するため、下りリンクチャネル情報を報告する。
【０１３５】
ネットワーク装置３０３は、別法として、Ｍ個のチャネル情報報告要求メッセージを送出してよい。Ｍ個のメッセージは、Ｍ個の第４の端末装置グループＴＡＧ１、・・・、ＴＡＧｉ、・・・及びＴＡＧＭの識別情報をそれぞれ搬送する。第２の端末装置３０２がチャネル情報報告要求メッセージを受信した後、メッセージが、第２の端末装置３０２が属する第４の端末装置グループの識別情報を搬送する場合、第２の端末装置３０２は下りリンクチャネルを報告する。
【０１３６】
確かに、第２の端末装置３０２は、別法として、ネットワーク装置３０３の通知を受信した後のみ下りリンクチャネル情報を報告する必要があるのでなく、能動的に下りリンクチャネル情報を報告してよい（例えば、下りリンクチャネル情報を周期的に送出する）。例えば、第２の端末装置３０２が「補助条件」を満たすと決定したとき、第２の端末装置３０２は下りリンクチャネル情報をネットワーク装置３０３に報告する。
【０１３７】
別法として、第１の端末装置３０１の通知を受信した後、例えば、第１の端末装置３０１により送出されたチャネル情報報告要求メッセージを受信した後、第２の端末装置３０２は下りリンクチャネル情報をネットワーク装置３０３に報告する。
【０１３８】
別法として、第１の端末装置３０１が下りリンクチャネル情報をネットワーク装置３０３に報告したと検出したとき、第２の端末装置３０２は下りリンクチャネル情報をネットワーク装置３０３に報告する。
【０１３９】
Ｓ５０３’：第１の端末装置３０１が、第１の端末装置３０１とネットワーク装置３０３との間の下りリンクチャネルの下りリンクチャネル情報をネットワーク装置３０３に報告する。
【０１４０】
確かに、第１の端末装置３０１は、別法として、ネットワーク装置３０３の通知を受信した後のみ下りリンクチャネル情報を報告する必要があるのでなく、能動的に下りリンクチャネル情報を報告してよい（例えば、下りリンクチャネル情報を周期的に送出する）。
【０１４１】
ステップＳ５０２、ステップＳ５０２’、ステップＳ５０３、及びステップＳ５０３’において、下りリンクチャネル情報は、プリコーディング行列指標（precoding  matrix  indicator、ＰＭＩ）及びチャネル品質指標（channel  quality  indicator、ＣＱＩ）でよい。第１の端末装置３０１又は第２の端末装置３０２は、最も高いデータ送信レートに対応しているＰＭＩ及びＣＱＩを選択し、ＰＭＩ及びＣＱＩをネットワーク装置に報告してよい。下りリンクチャネル情報は、チャネル送信特性を反映するために使用される情報、例えば、チャネル送信行列（しばしばシステム機能又はシステムインパルス応答とも呼ばれる）でもよい。チャネル送信行列が処理され、例えば、行列の固有値及び固有ベクトルについて特異値分解（singular  value  decomposition、ＳＶＤ）が実行されて、プリコーディング行列を決定する。
【０１４２】
下記では、ネットワーク装置３０３が基地局であり、端末装置が現在のＬＴＥシステムにおけるＵＥである例を使用して、プリコーディング行列及びプリコーディング処理を説明する。基地局がデータストリームを複数のＵＥに同時に配信するとき、各ＵＥに送出された１つ以上のデータストリームが、プリコーディング行列を使用することにより処理される必要がある。基地局は、アンテナを使用することにより、処理されたデータストリームをＵＥに送信する。下りリンクデータ送信を実行する前、基地局は、プリコーディング行列に基づき下りリンクデータストリームに対してプリコーディングを実行し、下りリンクデータストリームを端末装置に送出する。これは、別のチャネルからの干渉を回避し、プリコードされた下りリンクデータストリームが下りリンクチャネル上で最良の送信品質を得ることを可能にする。
【０１４３】
プリコーディング行列が取得される方式は、コードブック空間に基づいてよく、あるいは非コードブック空間に基づいてよい。
【０１４４】
コードブック空間ベース方式において、コードブック空間は複数のプリコーディング行列を含む。各プリコーディング行列はＰＭＩにより識別される。コードブック空間は事前に基地局及びＵＥに記憶されてよい。ＵＥは、下りリンクチャネルを測定し、ＰＭＩを決定し、ＰＭＩを基地局に送出してよく、それにより、基地局は、ＰＭＩに対応するプリコーディング行列を決定する。
【０１４５】
非コードブック空間ベース方式において、ＵＥは、下りリンクチャネルを測定し、下りリンクチャネル測定結果を基地局にフィードバックしてよい。基地局は、下りリンクチャネル測定結果に基づきチャネル送信行列を決定し、チャネル送信行列に対して処理（例えば、ＳＶＤ分解）を実行してプリコーディング行列を決定する。
【０１４６】
ステップＳ５０２、ステップＳ５０２’、ステップＳ５０３、及びステップＳ５０３’において、ネットワーク装置３０３は、別法として、下りリンクチャネル情報を報告するように第１の端末装置３０１及びＭ個の第２の端末装置３０２を含むＭ＋１個の端末装置の中の少なくとも１つの端末装置に命令してよい。少なくとも１つの端末装置は、通知を受信した後、少なくとも１つの端末装置の下りリンクチャネル情報を報告する。
【０１４７】
別法として、第１の端末装置３０１及びＭ個の第２の端末装置３０２を含むＭ＋１個の端末装置の中の少なくとも１つの端末装置が、下りリンクチャネル情報を能動的に報告し、例えば、下りリンクチャネル情報を周期的に報告してよい。
【０１４８】
Ｓ５０４：ネットワーク装置３０３が、Ｍ個の第２の端末装置３０２により送出された、受信した下りリンクチャネル情報に基づき、データストリームがＭ個の第２の端末装置３０２の中のＮ個の第２の端末装置３０２を使用することにより第１の端末装置３０１に転送され得ると決定する。
【０１４９】
任意選択で、ネットワーク装置３０３は、ＭＵ‐ＭＩＭＯ前処理を実行することによりＭ個の第２の端末装置３０２からＮ個の第２の端末装置３０２を選択してよい。Ｎ個の第２の端末装置３０２は下記を満たす：
ＰＭＩに対応しているプリコーディング行列に対応するチャネルが、互いに対して直交又は準直交である。
【０１５０】
いくつかの端末装置が下りリンクチャネル情報を報告しない場合、ネットワーク装置３０３は、これら端末装置について予め設定された下りリンクチャネル情報を使用し、下りリンクチャネル情報をすでに報告している端末装置により報告された下りリンクチャネル情報と共にこれら端末装置の下りリンクチャネル情報に基づきＭＵ‐ＭＩＭＯ前処理を実行し、複数の端末装置から、下りリンクデータストリームがＭＵ‐ＭＩＭＯ技術を使用することにより並列に送出され得る端末装置を選択してよい。
【０１５１】
Ｓ５０５：ネットワーク装置３０３が、第１の端末装置３０１に送出される必要があるデータストリームをデータストリームの少なくとも１つのグループに分割し、データストリームの少なくとも１つのグループは、Ｎ個の第３のデータストリームＤ３１、・・・、Ｄ３ｉ、・・・、及びＤ３Ｎである。
【０１５２】
Ｓ５０６：ネットワーク装置３０３が、ＭＵ‐ＭＩＭＯ技術を使用することにより並列に、Ｎ個の第３のデータストリームＤ３１、・・・、Ｄ３ｉ、・・・、及びＤ３ＮをＮ個の第２の端末装置に送出する。
【０１５３】
任意選択で、ネットワーク装置３０３は、Ｎ個の第３のデータストリームＤ３１、・・・、Ｄ３ｉ、・・・、及びＤ３Ｎが第１の端末装置３０１に向けられていると示すために使用される端末装置指示情報をさらに送出してよい。
【０１５４】
任意選択で、ネットワーク装置３０３は、送出した第３のデータストリームにおいて、前述のターゲット端末装置指示情報を搬送してよい。第３のデータストリームを受信した後、第２の端末装置３０２は、第３のデータストリームで搬送されたターゲット端末装置指示情報に基づき、受信した第３のデータストリームが第１の端末装置３０１に向けられていると決定する。次いで、第２の端末装置３０２は、第３のデータストリームを処理して対応する第２のデータストリームを生成し、第２のデータストリームを第１の端末装置３０１に送出してよい。
【０１５５】
別法として、任意選択で、ネットワーク装置３０３は、第３のデータストリームを送出する前に前述のターゲット端末装置指示情報を送出して、送出される第３のデータストリームが第１の端末装置３０１に向けられていると示してよい。次いで、第２の端末装置３０２は、第３のデータストリームを処理して対応する第２のデータストリームを生成し、第２のデータストリームを第１の端末装置３０１に送出してよい。
【０１５６】
別法として、任意選択で、ネットワーク装置３０３は、第３のデータストリームを送出した後に前述のターゲット端末装置指示情報を送出して、送出された第３のデータストリームが第１の端末装置３０１に向けられていると示してよい。次いで、第２の端末装置３０２は、第３のデータストリームを処理して対応する第２のデータストリームを生成し、第２のデータストリームを第１の端末装置３０１に送出してよい。
【０１５７】
Ｓ５０６’：ネットワーク装置３０３が、ＭＵ‐ＭＩＭＯ技術を使用することにより、第１のデータストリームＤ１を第１の端末装置３０１に送出する。
【０１５８】
任意選択で、第１のデータストリームＤ１及びＮ個の第３のデータストリームＤ３１、・・・、Ｄ３ｉ、・・・、及びＤ３Ｎは、ＭＵ‐ＭＩＭＯ技術を使用することによりネットワーク装置３０３により並列に送出される。
【０１５９】
前に説明されたステップにおいて、ネットワーク装置３０３は、各端末装置により報告された下りリンクチャネル情報に基づき、ＭＵ‐ＭＩＭＯ技術を使用することにより並列にデータストリームを送出する。任意選択で、各端末装置が下りリンク情報を報告する、前に説明された解決策に加えて、下記の下りリンクチャネル情報送出解決策が使用されてもよい（各端末装置は、データ送信要件を有する端末装置でよく、あるいはデータ送信要件なしの端末装置でよい）。
【０１６０】
任意選択で、第２の端末装置３０２とネットワーク装置３０３との間の下りリンクチャネルの情報をネットワーク装置３０３に送出する間、第１の端末装置３０１は、ネットワーク装置３０３により送出された第２の制御メッセージを受信する。第２の制御メッセージは、第２の端末装置３０２の下りリンクチャネル情報を取得するように第１の端末装置３０１に命令するために使用される。
【０１６１】
各端末装置が、端末装置とネットワーク装置３０３との間の下りリンクチャネルの情報を中央端末装置に送出する。中央端末装置は、前述の各端末装置のうちの１つでよく、あるいは前述の各端末装置を除く端末装置でよい。中央端末装置は、下記の条件のうち少なくとも１つを満たし得る：
中央端末装置に対して各端末装置により送出されたデータのデータ送信レートが第３のデータ送信レート閾値より大きい；
中央端末装置の残電気量が第１の電気量閾値より大きい；及び
前述の各端末装置のうち各々の第２の端末装置と中央端末装置との間の距離が第３の距離閾値より小さい。
【０１６２】
各端末装置により送出された下りリンクチャネル情報は、下記情報のうち１つ以上を含んでよい。
【０１６３】
第１のチャネル情報：第１のチャネル情報は、チャネル送信行列である。チャネル送信行列は、チャネルの固有送信特性を表すために使用される。これら固有送信特性は、チャネルで送信された信号の変形、例えば、信号電力を増幅すること又は信号電力を減衰することを引き起こして、信号におけるドップラー周波数シフト、信号位相偏移、又はマルチパス遅延などの効果をもたらす。第１のチャネル情報は、ここで、第２の端末装置とネットワーク装置との間の下りリンクチャネルのチャネル送信行列である。ネットワーク装置が下りリンクチャネル上で下りリンクデータを第２の端末装置に送出するとき、前述の様々な変化が、チャネルの固有送信特性に起因して、下りリンクチャネル上で送信された下りリンクデータで発生する。
【０１６４】
第２のチャネル情報：第２のチャネル情報は、チャネル送信行列の変換行列である。変換行列は、前述のチャネル送信行列に線形変換が実行された後に取得される行列でよく、あるいは前述のチャネル送信行列に非線形変換が実行された後に取得される行列でよい。チャネル送信行列に線形変換が実行された後に取得される変換行列は、チャネルの固有送信特性を反映することができる。チャネル送信行列に非線形変換が実行された後に取得される変換行列について、チャネルの固有送信特性は、非線形変換の間に変更されるべきでない。チャネル送信行列の変換行列は、チャネル送信行列の２次特性行列、例えば、チャネル送信行列の自己相関行列でよい。別法として、チャネル送信行列の変換行列は、チャネル送信行列の高次特性行列でよい。
【０１６５】
第３のチャネル情報：第３のチャネル情報は、チャネル送信行列に量子化処理が実行された後に取得される行列、又はチャネル送信行列の変換行列に量子化処理が実行された後に取得される行列である。チャネル送信行列内又はチャネル送信行列の変換行列内の要素がアナログパラメータであり得、しかし現在の無線通信システムは主にデジタル通信システムであるため、容易な処理のため、アナログパラメータをデジタルパラメータにコンバートするためにＺ個の量子化値（Z  quantized  values）が使用される方式が使用される。この方式は量子化処理と呼ばれる。ここで、Ｚの値は２の整数乗（integral  power）である。
【０１６６】
第４のチャネル情報：第４のチャネル情報は下記を含む：
下りリンクチャネルのチャネル情報を報告する端末装置により使用され得る少なくとも１つのコードブックの中の各コードブックについて、コードブックに対応するプリコーディング行列ＰＭＩ、及び、コードブックに対応するＰＭＩが使用され、かつネットワーク装置３０３が端末装置のためにＫ個のデータストリームを同時に送出する場合に対応するチャネル品質指標ＣＱＩであり、Ｋは、正の整数であり、ネットワーク装置３０３が端末装置のために同時に送出することができるデータストリームの最大数量以下である。
【０１６７】
各端末装置は、中央端末装置との近距離通信が良好な通信品質を有する特性を使用し、比較的高いデータ送信レート及び／又は比較的低い送信電力で下りリンクチャネルの情報を中央端末装置に送出し得る。これは、端末装置とネットワーク装置３０３との間のチャネルの容量の占有を回避するだけでなく、比較的豊富なチャネル情報の送信をさらに実現する。このメカニズムは、下りリンク制御チャネルをフィードバックするために現在のＬＴＥシステムにより使用されるメカニズムと比較して、比較的高い精度でチャネル情報をネットワーク装置３０３にフィードバックすることができる。
【０１６８】
中央端末装置は、各端末装置により送出されたチャネル情報に基づきＭＵ‐ＭＩＭＯ前処理を実行する。前処理プロセスにおいて、中央端末装置は、各端末装置により送出されたチャネル情報に基づき、ネットワーク装置３０３がＭＵ‐ＭＩＭＯ技術を使用することによりデータストリームを同時に配信することができる前述の各端末装置の中の端末装置を決定し、ネットワーク装置３０３がＭＵ‐ＭＩＭＯ技術を使用することにより並列にデータストリームを配信するとき、並列のデータストリームを受信する各端末装置に適切なＰＭＩと、端末装置が適切なＰＭＩを使用し、かつネットワーク装置３０３が第２の端末装置３０２のためにＫ個のデータストリームを同時に送出する場合に対応するチャネル品質指標ＣＱＩとを決定する。
【０１６９】
任意選択で、前処理の間、中央端末装置は、各端末装置により使用されるＰＭＩに対応するチャネルが互いに対して直交又は準直交であるとき、これらＰＭＩが下りリンクデータ送信に使用されるＰＭＩであると決定してよい。
【０１７０】
現在のＬＴＥシステムにおいて、ＭＵ‐ＭＩＭＯ前処理は基地局により完全に実行される。基地局により取得される下りリンクチャネル情報が限られるため、ＭＵ‐ＭＩＭＯデータ送信の実行が影響を受ける。しかしながら、前述の任意的な解決策において、ＭＵ‐ＭＩＭＯ前処理は、別法として、中央端末装置により実行されてよい。ネットワーク装置３０３は、受信したＭＵ‐ＭＩＭＯ前処理結果に基づき直接ＭＵ‐ＭＩＭＯ下りリンクデータ送信を実行する。中央端末装置がチャネル情報に基づきＭＵ‐ＭＩＭＯ前処理を実行するため、前処理結果は比較的高い精度を有する。ネットワーク装置３０３は、比較的高い精度でＭＵ‐ＭＩＭＯ前処理結果に基づきＭＵ‐ＭＩＭＯ送信を実行し、これにより、ＭＵ‐ＭＩＭＯデータ送信の性能を効果的に改善する。
【０１７１】
Ｓ５０７：Ｎ個の第２の端末装置３０２の中の各々の第２の端末装置３０２について、第２の端末装置３０２が、第３のデータストリームを受信した後、第２のデータストリームを生成する。
【０１７２】
第２の端末装置３０２は、受信した第３のデータストリームを第２のデータストリームとして使用し、第２のデータストリームを第１の端末装置３０１に直接転送してよく、あるいは、
第２の端末装置３０２は、複数の受信した第３のデータストリームを結合し（combine）、第２のデータストリームを生成し、第２のデータストリームを第１の端末装置３０１に転送してよく、あるいは、
第２の端末装置３０２は、受信した第３のデータストリームを複数の第２のデータストリームに分け、第２のデータストリームを第１の端末装置３０１に転送してよい。
【０１７３】
Ｓ５０８：Ｎ個の第２の端末装置３０２の中の各々の第２の端末装置３０２について、第２の端末装置３０２が、生成された第２のデータストリームを第１の端末装置３０１に送出する。
【０１７４】
Ｓ５０９：第１の端末装置３０１が、Ｎ個の受信した第２のデータストリームＤ２１、・・・、Ｄ２ｉ、・・・、及びＤ２Ｎにデータ処理を実行する。任意選択で、第１の端末装置３０１が、ステップＳ５０６’でネットワーク装置３０３により送出された第１のデータストリームＤ１を受信した場合、第１の端末装置３０１は、Ｄ２１、・・・、Ｄ２ｉ、・・・、及びＤ２Ｎと第１のデータストリームＤ１とに基づき、下りリンクデータ送信に使用されたＰＭＩを決定する。
【０１７５】
例えば、ＭＵ‐ＭＩＭＯ技術を使用することにより並列にデータストリームを送出する前、ネットワーク装置３０３は、第１の端末装置３０１に送出される必要があるより高いレイヤのデータにセグメント化処理を実行し、各データセグメントについてセグメント識別子を追加し、セグメント識別子は、より高いレイヤのデータセグメントの系列を表してよい。次いで、ネットワーク装置３０３は、より高いレイヤのデータセグメントに物理レイヤプロトコル処理を実行し、処理されたより高いレイヤのデータセグメントをアンテナを使用することにより第１の端末装置３０１に送出する。
【０１７６】
各データストリームを受信した後、第１の端末装置３０１は、データストリームに物理レイヤプロトコル処理を実行し、複数のより高いレイヤのデータセグメントと、各々のより高いレイヤのデータセグメントのセグメント識別子とを生成し、系列に従いより高いレイヤのデータセグメントを組み立てる。
【０１７７】
ここで、ＬＴＥシステムは、データに対するセグメント化処理を説明するための例として使用される。より高いレイヤのデータは、物理レイヤより高いプロトコルレイヤ、例えば、媒体アクセス制御（Media  Access  Control、ＭＡＣ）レイヤのデータでよい。物理レイヤプロトコル処理は、スクランブリング、変調、レイヤマッピング、プリコーディング、リソース要素（Resource  Element、ＲＥ）マッピング、直交周波数分割多重（Orthogonal  Frequency  Division  Multiplexing、ＯＦＤＭ）信号生成、アンテナポート上の信号送信などを含んでよい。
【０１７８】
確かに、ステップＳ５０５において、データストリームを分割するためにネットワーク装置３０３により使用される解決策もまた前述の解決策に限定されず、第１の端末装置３０１が複数の受信したデータストリームを処理する方式もまた前述の処理方式に限定されない。ここで、解決策及び方式は単に説明のための例として使用される。前述の処理において、ネットワーク装置３０３は、ＭＵ‐ＭＩＭＯ技術及び複数の端末装置を使用することにより、１つの端末装置に送出されるべき下りリンクデータを送出し、ネットワーク装置３０３によりカバーされる各端末装置の下りリンク送信能力を十分に利用し、通信システムのスループットを効果的に増加させる。
【０１７９】
ステップＳ５０３’及びステップＳ５０６’は任意的なステップであり、ネットワーク装置３０３がデータストリームを第１の端末装置３０１に配信しないとしても、ネットワーク装置３０３は、ＭＵ‐ＭＩＭＯ技術と、別の端末装置すなわち第２の端末装置３０２とを使用することにより、第１の端末装置３０１に送出される必要がある下りリンクデータをさらに送出することができることを示す。
【０１８０】
下記では、例として図６に示される簡素化されたシナリオを使用する。第１の端末装置３０１（Ｔ）及び第２の端末装置３０２（Ａ１、Ａ３、及びＡ４）が、第１の端末装置グループを形成する。ネットワーク装置３０３が、最終的に、ＭＵ‐ＭＩＭＯ技術を使用することにより並列にデータストリームをＡ１、Ａ３及びＴに送出する。
【０１８１】
最初、Ｔは、補助要求メッセージを周囲の端末装置（Ａ１、Ａ２、Ａ３、及びＡ４を含む）に送出する。Ａ１、Ａ３、及びＡ４によりフィードバックされた補助応答メッセージを受信した後、Ｔは、Ａ１、Ａ３、及びＡ４で第１の端末装置グループを形成する。
【０１８２】
次いで、Ｔ、Ａ１、Ａ３、及びＡ４は、その独自の下りリンクチャネル情報をネットワーク装置３０３に別個に報告する。
【０１８３】
次に、ネットワーク装置３０３は、ＭＵ‐ＭＩＭＯ前処理を実行し、Ａ１及びＡ３がＴに向けられたデータストリームを転送することができると決定する。
【０１８４】
その後、ネットワーク装置３０３は、ＭＵ‐ＭＩＭＯ技術を使用することにより並列に下記のデータストリームを送出する：
Ｄ１をＴに送出する；
Ｄ３１をＡ１に送出する；及び
Ｄ３３をＡ３に送出する。
【０１８５】
最後、Ａ１は、Ｄ３１を処理した後にＤ２１を生成し、Ｄ２１をＴに送出し、Ａ３は、Ｄ３３を処理した後にＤ２３を生成し、Ｄ２３をＴに送出し、Ｔは、Ｄ１、Ｄ２１、及びＤ２３を結合し、結合されたデータストリームを処理する。
【０１８６】
図７は、この出願において提供される第１の端末装置の概略構成図である。図７に示されるように、第１の端末装置は、
第２の端末装置から第１の端末装置のデータストリームを受信するように構成された送受信機（transceiver）モジュール７０１と、
受信モジュールにより受信されたデータストリームを処理するように構成された処理モジュール７０２と、
を含み、
第２の端末装置は、第１の端末装置を扱うネットワーク装置から、第１の端末装置のかつマルチユーザ複数入力複数出力ＭＵ‐ＭＩＭＯ技術を使用することによりネットワーク装置により送出されるデータストリームを受信するように構成される。
【０１８７】
第１の端末装置の他の任意的な実現方式については、前述の第１の端末装置３０１の任意的な実現方式を参照する。送受信機モジュール７０１は、第１の端末装置３０１の受信及び送出動作を実行するように構成されてよい。処理モジュール７０２は、第１の端末装置３０１の処理動作を実行するように構成されてよい。具体的に、処理モジュール７０２が如何にして第２の端末装置を決定するか、及び送受信機モジュール７０１が如何にして第１の端末装置３０１の下りリンクチャネル情報を送出し、第２の端末装置の下りリンクチャネル情報を送出し、ネットワーク装置から制御メッセージを受信し、応答メッセージをネットワーク装置に送出し、第２の端末装置により転送された下りリンクデータストリームを受信するかなどの手順については、図５Ａ及び図５Ｂに示されるプロセスにおける第１の端末装置３０１の処理手順を参照する。
【０１８８】
図７に示される第１の端末装置と対話する第２の端末装置は、前述のＭ個の第２の端末装置３０２のうちの任意の１つと考えられてよい。
【０１８９】
任意選択で、処理モジュール７０２は、送受信機モジュール７０１が第１の端末装置のデータストリームを受信する前、第２の端末装置を決定するようにさらに構成される。
【０１９０】
処理モジュール７０２が第２の端末装置を決定する任意的な実現方式については、第１の端末装置３０１が第１の端末装置３０１のためにデータストリームを転送することができる第２の端末装置を決定するときに使用され得る、図５Ａ及び図５Ｂに示されるプロセスのステップＳ５０１における３つの任意的な解決策を参照する。確かに、処理モジュール７０２が第２の端末装置を決定する実現方式は、第２の端末装置が、第１の端末装置のかつＭＵ‐ＭＩＭＯ技術を使用することによりネットワーク装置により配信される下りリンクデータストリームを受信することができ、受信した下りリンクデータストリームを第１の端末装置に転送することができるという条件で、前述の３つの任意的な解決策に限定されない。
【０１９１】
任意選択で、送受信機モジュール７０１は、
処理モジュール７０２が第２の端末装置を決定した後、処理モジュール７０２が送受信機モジュール７０１により受信されたデータストリームを処理する前、第１の補助通知メッセージをネットワーク装置に送出する
ようにさらに構成され、
第１の補助通知メッセージは、第２の端末装置がネットワーク装置から第１の端末装置のデータを受信するとネットワーク装置に通知するために使用される。
【０１９２】
送受信機モジュール７０１が第１の補助通知メッセージを送出する任意的な実現方式については、図５Ａ及び図５Ｂに示されるプロセスのステップＳ５０１を参照する。
【０１９３】
任意選択で、送受信機モジュール７０１は、処理モジュール７０２が第２の端末装置を決定する前、補助要求メッセージを少なくとも１つの端末装置に送出するようにさらに構成され、補助要求メッセージは、少なくとも１つの端末装置が第１の端末装置のデータストリームを受信し、第１の端末装置の受信したデータストリームを第１の端末装置に送出することができるかどうかを少なくとも１つの端末装置に問い合わせるために使用され、
処理モジュール７０２は、補助応答メッセージを送出する少なくとも１つの端末装置の中の端末装置を第２の端末装置として決定するように具体的に構成され、補助応答メッセージは、補助応答メッセージを送出する端末装置が第１の端末装置のデータストリームを受信し、第１の端末装置の受信したデータストリームを第１の端末装置に送出することができると第１の端末装置に通知するために使用される。
【０１９４】
送受信機モジュール７０１が補助応答メッセージを送出し、補助応答メッセージを受信する任意的な実現方式については、第１の端末装置３０１が第１の端末装置３０１のためにデータストリームを転送することができる第２の端末装置３０２を決定するときに使用される任意的な方式１において第１の端末装置３０１が補助要求メッセージを周囲の装置に送出する、図５Ａ及び図５Ｂに示されるプロセスのステップＳ５０１における実現方式を参照する。送受信機モジュール７０１により送出される補助要求メッセージは、任意的な解決策１において第１の端末装置３０１により送出される補助要求メッセージと考えられてよい。送受信機モジュール７０１により受信される補助応答メッセージは、任意的な解決策１において第１の端末装置３０１により受信される補助応答メッセージと考えられてよい。
【０１９５】
任意選択で、送受信機モジュール７０１は、処理モジュール７０２が第２の端末装置を決定する前、ネットワーク装置により送出された第１の制御メッセージを受信するようにさらに構成され、第１の制御メッセージは、第２の端末装置を決定するように第１の端末装置に命令する。
【０１９６】
任意選択で、送受信機モジュール７０１は、
第２の端末装置から第１の端末装置のデータストリームを受信する前、第２の端末装置の下りリンクチャネル情報をネットワーク装置に送出し、第２の端末装置の下りリンクチャネル情報は、ＭＵ‐ＭＩＭＯ技術を使用することにより第１の端末装置のデータストリームを第２の端末装置に送出するためにネットワーク装置により使用される
ようにさらに構成される。
【０１９７】
この任意的な解決策において、図７に示される第１の端末装置は、図５Ａ及び図５Ｂに示されるプロセスのステップＳ５０６’において説明される中央端末装置として使用されてよく、第２の端末装置の下りリンクチャネル情報をネットワーク装置に転送する。
【０１９８】
任意選択で、送受信機モジュール７０１は、
第２の端末装置とネットワーク装置との間の下りリンクチャネルの情報をネットワーク装置に送出する前、ネットワーク装置により送出された第２の制御メッセージを受信し、第２の制御メッセージは、第２の端末装置の下りリンクチャネル情報を取得するように第１の端末装置に命令するために使用される
ようにさらに構成される。
【０１９９】
任意選択で、送受信機モジュール７０１は、
処理モジュール７０２が第２の端末装置を決定した後、第２の端末装置の下りリンクチャネル情報をネットワーク装置に送出するように第２の端末装置に命令する
ようにさらに構成される。
【０２００】
任意選択で、送受信機モジュール７０１は、
第１の端末装置の下りリンクチャネル情報をネットワーク装置に送出し、第１の端末装置の下りリンクチャネル情報は、ＭＵ‐ＭＩＭＯ技術を使用することにより第１の端末装置のデータストリームを第２の端末装置に送出するためにネットワーク装置により使用される
ようにさらに構成される。
【０２０１】
任意選択で、第２の端末装置はデータ送信要件を有し、あるいは第２の端末装置はデータ送信要件を有さない。
【０２０２】
図８は、特定の実現方式を使用し、この出願において提供される第１の端末装置の概略構成図である。送受信機モジュール７０１は、図８における送受信機８０１により実現されてよい。処理モジュール７０２は、図８におけるプロセッサ８０２により実現されてよい。送受信機８０１は、１つ以上のアンテナを使用することによりメッセージ及びデータを受信し、送出してよい。
【０２０３】
図９は、この出願において提供される第２の端末装置の概略構成図である。図９に示されるように、第２の端末装置は、
第１の端末装置を扱うネットワーク装置から、第１の端末装置のかつＭＵ‐ＭＩＭＯ技術を使用することによりネットワーク装置により送出されるデータストリームを、第２の端末装置が受信すると決定するように構成された処理モジュール９０１と、
第１の端末装置のかつＭＵ‐ＭＩＭＯ技術を使用することによりネットワーク装置により送出されるデータストリームを受信するように構成された受信モジュール９０２と、
第１の端末装置のかつ受信モジュール９０２により受信されるデータストリームを第１の端末装置に送出するように構成された送出モジュール９０３と、
を含む。
【０２０４】
第２の端末装置の他の任意的な実現方式については、前述の第２の端末装置３０２の任意的な実現方式を参照する。処理モジュール９０１は、第２の端末装置３０２の処理動作を実行するように構成されてよい。受信モジュール９０２は、第２の端末装置３０２の受信動作を実行するように構成されてよい。送出モジュール９０３は、第２の端末装置３０２の送出動作を実行するように構成されてよい。
【０２０５】
第２の端末装置が如何にして、第２の端末装置が第１の端末装置のために下りリンクデータストリームを転送することができると決定し、第２の端末装置の下りリンクチャネル情報を送出し、第１の端末装置又はネットワーク装置から制御メッセージを受信し、応答メッセージを第１の端末装置又はネットワーク装置に送出し、下りリンクデータストリームを第１の端末装置に転送するかの任意的な手順については、図５Ａ及び図５Ｂに示されるプロセスにおける第２の端末装置３０２の処理手順を参照する。
【０２０６】
図９に示される第２の端末装置は、前述のＭ個の第２の端末装置３０２のうちの任意の１つと考えられてよい。
【０２０７】
任意選択で、送出モジュール９０３は、受信モジュール９０２が第１の端末装置のデータストリームを受信する前、第２の端末装置の下りリンクチャネル情報をネットワーク装置に送出するようにさらに構成され、第２の端末装置の下りリンクチャネル情報は、ＭＵ‐ＭＩＭＯ技術を使用することにより第１の端末装置のデータストリームを第２の端末装置に送出するためにネットワーク装置により使用される。
【０２０８】
任意選択で、受信モジュール９０２は、送出モジュール９０３が第２の端末装置の下りリンクチャネル情報をネットワーク装置に送出する前、ネットワーク装置又は第１の端末装置により送出された通知を受信するようにさらに構成され、通知は、第２の端末装置の下りリンクチャネル情報をネットワーク装置に送出するように第２の端末装置に命令するために使用される。
【０２０９】
送出モジュールにより第２の端末装置の下りリンクチャネル情報を報告する任意的な実現方式、トリガ条件等については、図５Ａ及び図５Ｂに示されるプロセスのステップＳ５０３における第２の端末装置３０２の処理を参照する。
【０２１０】
ネットワーク装置により送出され、受信モジュール９０２により受信される通知は、ネットワーク装置３０３により送出され、前述のステップＳ５０３において説明されたチャネル情報報告要求メッセージと考えられてよい。第１の端末装置により送出され、受信モジュール９０２により受信される通知は、第１の端末装置３０１により送出され、前述のステップＳ５０３において説明されたチャネル情報報告要求メッセージと考えられてよい。
【０２１１】
任意選択で、送出モジュール９０３は、
第１の端末装置が第１の端末装置の下りリンクチャネル情報をネットワーク装置に送出したと処理モジュール９０１が確認した後、第２の端末装置の下りリンクチャネル情報をネットワーク装置に送出し、第２の端末装置の下りリンクチャネル情報は、ＭＵ‐ＭＩＭＯ技術を使用することにより第１の端末装置のデータストリームを第２の端末装置に送出するためにネットワーク装置により使用される
ように具体的に構成される。
【０２１２】
任意選択で、送出モジュール９０３は、送出モジュール９０３が第１の端末装置のかつ受信モジュール９０２により受信されるデータストリームを第１の端末装置に送出する前、第２の補助通知メッセージをネットワーク装置に送出するようにさらに構成され、
第２の補助通知メッセージは、第２の端末装置が第１の端末装置のかつＭＵ‐ＭＩＭＯ技術を使用することによりネットワーク装置により送出されるデータストリームを受信することができ、第１の端末装置のデータストリームを第１の端末装置に送出することができると通知するために使用される。
【０２１３】
送出モジュール９０３が第２の補助通知メッセージを送出する任意的な実現方式については、Ｍ個の第２の端末装置３０２が第１の端末装置３０１のためにデータストリームを転送することができるとネットワーク装置３０３が決定する、前述のステップＳ５０１における任意的な実現方式２を参照する。
【０２１４】
任意選択で、第２の端末装置はデータ送信要件を有し、あるいはデータ送信要件を有さない。
【０２１５】
図１０は、特定の実現方式を使用し、この出願において提供される第２の端末装置の概略構成図である。処理モジュール９０１は、図１０におけるプロセッサ１００１により実現されてよい。受信モジュール９０２は、図１０における受信機１００２により実現されてよい。送出モジュール９０３は、図１０における送信機１００３により実現されてよい。送信機１００３及び受信機１００２は、１つ以上のアンテナを共有してよい。送信機１００３は、１つ以上のアンテナを使用することによりメッセージ及びデータを送出してよい。受信機１００２は、１つ以上のアンテナを使用することによりメッセージ及びデータを受信してよい。
【０２１６】
図１１は、この出願において提供されるネットワーク装置の概略構成図である。図１１に示されるように、ネットワーク装置は、
第２の端末装置を決定するように構成された処理モジュール１１０１であり、第２の端末装置は、ネットワーク装置から、第１の端末装置のかつＭＵ‐ＭＩＭＯ技術を使用することによりネットワーク装置により送出されるデータストリームを受信するように構成される、処理モジュール１１０１と、
ＭＵ‐ＭＩＭＯ技術を使用することにより第１の端末装置のデータストリームを第２の端末装置に送出するように構成された送受信機モジュール１１０２と、
を含む。
【０２１７】
ネットワーク装置の他の任意的な実現方式については、前述のネットワーク装置３０３の任意的な実現方式を参照する。処理モジュール１１０１は、ネットワーク装置３０３の処理動作を実行するように構成されてよい。送受信機モジュール１１０２は、ネットワーク装置３０３の受信及び送出動作を実行するように構成されてよい。
【０２１８】
ネットワーク装置が如何にして第２の端末装置を決定し、第１の端末装置又は第２の端末装置により送出された下りリンクチャネル情報を受信し、制御メッセージを第１の端末装置又は第２の端末装置に送出し、第１の端末装置又は第２の端末装置により送出された応答メッセージを受信し、第１の端末装置のデータストリームを第２の端末装置に送出するかの任意的な手順については、図５Ａ及び図５Ｂに示されるプロセスにおけるネットワーク装置３０３の処理手順を参照する。
【０２１９】
処理モジュール１１０１が第２の端末装置を決定する任意的な実現方式については、ネットワーク装置３０３がＭ個の第２の端末装置３０２を決定する、前述のステップＳ５０１における任意的な実現方式を参照する。
【０２２０】
図１１に示されるネットワーク装置と対話する第２の端末装置は、前述のＭ個の第２の端末装置３０２のうちの任意の１つと考えられてよい。
【０２２１】
任意選択で、送受信機モジュール１１０２は：処理モジュール１１０１が第２の端末装置を決定する前、第１の制御メッセージを第１の端末装置に送出することであって、第１の制御メッセージは、第２の端末装置を決定するように第１の端末装置に命令し；第１の端末装置から、第１の制御メッセージに応答して第１の端末装置により送出される第１の補助通知メッセージを受信することであって、第１の補助通知メッセージは、第２の端末装置がネットワーク装置から第１の端末装置のデータを受信するとネットワーク装置に通知するために使用される；ようにさらに構成され、
処理モジュール１１０１は、送受信機モジュール１１０２により受信された通知メッセージに基づき第２の端末装置を決定するように具体的に構成される。
【０２２２】
任意選択で、送受信機モジュール１１０２は、処理モジュール１１０１が第２の端末装置を決定する前、第２の端末装置により送出された第２の補助通知メッセージを受信するようにさらに構成され、第２の補助通知メッセージは、第２の端末装置が第１の端末装置のかつＭＵ‐ＭＩＭＯ技術を使用することによりネットワーク装置により送出されるデータストリームを受信することができ、第１の端末装置のデータストリームを第１の端末装置に送出することができるとネットワーク装置に通知するために使用され、
処理モジュール１１０１は、第２の補助通知メッセージに基づき第２の端末装置を決定するように具体的に構成される。
【０２２３】
図１１に示されるネットワーク装置が第２の補助通知メッセージを受信し、第２の補助通知メッセージに基づき第２の端末装置を決定する任意的な実現方式については、Ｍ個の第２の端末装置３０２が第１の端末装置３０１のためにデータストリームを転送することができるとネットワーク装置３０３が決定する、前述のステップＳ５０１における任意的な実現方式２を参照する。
【０２２４】
任意選択で、送受信機モジュール１１０２は、ＭＵ‐ＭＩＭＯ技術を使用することにより第１の端末装置のデータストリームを第２の端末装置に送出する前、
第２の制御メッセージを第１の端末装置に送出することであって、第２の制御メッセージは、第２の端末装置の下りリンクチャネル情報を取得するように第１の端末装置に命令するために使用され、
第２の端末装置のかつ第２の制御メッセージに応答して第１の端末装置により送出される下りリンクチャネル情報を受信することであって、第２の端末装置の下りリンクチャネル情報は、ＭＵ‐ＭＩＭＯ技術を使用することにより第１の端末装置のデータストリームを第２の端末装置に送出するためにネットワーク装置により使用される
ようにさらに構成される。
【０２２５】
任意選択で、送受信機モジュール１１０２は、
ＭＵ‐ＭＩＭＯ技術を使用することにより第１の端末装置のデータストリームを第２の端末装置に送出する前、第２の端末装置により送出された第２の端末装置の下りリンクチャネル情報を受信する
ようにさらに構成され、
第２の端末装置の下りリンクチャネル情報は、ＭＵ‐ＭＩＭＯ技術を使用することにより第１の端末装置のデータストリームを第２の端末装置に送出するためにネットワーク装置により使用される。
【０２２６】
任意選択で、送受信機モジュール１１０２は、
ＭＵ‐ＭＩＭＯ技術を使用することにより第１の端末装置のデータストリームを第２の端末装置に送出する前、第１の端末装置により送出された第１の端末装置の下りリンクチャネル情報を受信する
ようにさらに構成され、
第１の端末装置の下りリンクチャネル情報は、ＭＵ‐ＭＩＭＯ技術を使用することにより第１の端末装置のデータストリームを第２の端末装置に送出するためにネットワーク装置により使用される。
【０２２７】
任意選択で、第２の端末装置はデータ送信要件を有し、あるいは前記第２の端末装置はデータ送信要件を有さない。
【０２２８】
図１２は、特定の実現方式を使用し、この出願において提供されるネットワーク装置の概略構成図である。送受信機モジュール１１０２は、図１２における送受信機１２０２により実現されてよい。処理モジュール１１０１は、図８におけるプロセッサ１２０１により実現されてよい。送受信機１２０２は、複数のアンテナを使用することによりメッセージ及びデータを受信し、送出してよい。
【０２２９】
前述の実施例において提供される第１の端末装置３０１、第２の端末装置３０２、及びネットワーク装置３０３において、並びに第１の端末装置３０１、第２の端末装置３０２、及びネットワーク装置３０３により提供される方法において、ネットワーク装置が第１の端末装置３０１のデータストリームを送出するとき、この実現方式では、第２の端末装置は第１の端末装置のＭＵ‐ＭＩＭＯ下りリンクデータ送信に関与する。第１の端末装置のデータストリームのみが送信され、あるいは第２の端末装置の比較的少量のデータのみが送信されるとしても、第２の端末装置とネットワーク装置との間のチャネルが浪費されず、代わりに、第１の端末装置のデータストリームを送信するのを助けるために使用される。これは、ネットワーク装置がＭＵ‐ＭＩＭＯ技術を使用することによりデータストリームを複数の端末装置に配信することができないためＭＵ‐ＭＩＭＯがＳＵ‐ＭＩＭＯに格下げされる問題の発生を回避し、これにより、通信システムのスループットを増加させる。さらに、これは、複数の端末装置がデータ送信要件を同時に有するがいくつかの端末装置が比較的低いデータ送信要件を有するシナリオにおいて、比較的低いデータ送信要件を有する端末装置の送信能力が十分に利用されない問題をさらに回避し、これにより、通信システムのスループットをさらに増加させる。
【０２３０】
当業者は、本発明の実施例が方法、システム、又はコンピュータプログラム製品として提供され得ることを理解するべきである。ゆえに、本発明は、ハードウェアのみの実施例、ソフトウェアのみの実施例、又はソフトウェア及びハードウェアの組み合わせでの実施例の形式を使用し得る。さらに、本発明は、コンピュータ使用可能プログラムコードを含む１つ以上のコンピュータ使用可能記憶媒体（これらに限られないが、ディスクメモリ、ＣＤ‐ＲＯＭ、及び光学メモリを含む）上に実現されるコンピュータプログラム製品の形式を使用し得る。
【０２３１】
本発明は、本発明の実施例による方法、装置（システム）、及びコンピュータプログラム製品のフローチャート及び／又はブロック図を参照して説明される。コンピュータプログラム命令が、フローチャート及び／又はブロック図内の各プロセス及び／又は各ブロック、並びにフローチャート及び／又はブロック図内のプロセス及び／又はブロックの組み合わせを実現するために使用され得ることが理解されるべきである。これらコンピュータプログラム命令は、汎用目的コンピュータ、専用コンピュータ、組み込みプロセッサ、又はマシンを生成するための任意の他のプログラム可能データ処理装置のプロセッサに提供されてよく、それにより、コンピュータ又は任意の他のプログラム可能データ処理装置のプロセッサにより実行された命令は、フローチャートの中の１つ以上プロセス内、及び／又はブロック図の中の１つ以上のブロック内の特定の機能を実現する装置を生成する。
【０２３２】
これらコンピュータプログラム命令は、特定の方式で動作するようにコンピュータ又は任意の他のプログラム可能データ処理装置に命令することができるコンピュータ読取可能メモリに記憶されてよく、それにより、コンピュータ読取可能メモリに記憶された命令は、命令装置を含む人工物を生成する。命令装置は、フローチャートの中の１つ以上プロセス内、及び／又はブロック図の中の１つ以上のブロック内の特定の機能を実現する。
【０２３３】
これらコンピュータプログラム命令は、コンピュータ又は他のプログラム可能データ処理装置にロードされてよく、それにより、一連の動作及びステップがコンピュータ又は他のプログラム可能装置上で実行され、これにより、コンピュータにより実現される処理を生成する。ゆえに、コンピュータ又は他のプログラム可能装置上で実行される命令は、フローチャートの中の１つ以上プロセス内、及び／又はブロック図の中の１つ以上のブロック内の特定の機能を実現するステップを提供する。
【０２３４】
本発明のいくつかの好適な実施例が説明されたが、当業者は、ひとたび当業者が基本の発明概念を習得するとこれらの実施例に変更及び修正を行うことができる。ゆえに、下記の特許請求の範囲は、好適な実施例並びに本発明の範囲内に入るすべての変更及び修正をカバーするようにみなされることが意図される。
【０２３５】
明らかに、当業者は、本発明の実施例の主旨及び範囲から逸脱することなく本発明の実施例に様々な修正及び変形を行うことができる。本発明は、これら修正及び変形が下記の特許請求の範囲及びその均等的技術により定義される保護の範囲内に入るという条件でこれらをカバーすることが意図される。
【図１】
2019508927.tif 000003
【図２】
2019508927.tif 000004
【図３】
2019508927.tif 000005
【図４Ａ】
2019508927.tif 000006
【図４Ｂ】
2019508927.tif 000007
【図４Ｃ】
2019508927.tif 000008
【図４Ｄ】
2019508927.tif 000009
【図５Ａ】
2019508927.tif 000010
【図５Ｂ】
2019508927.tif 000011
【図６】
2019508927.tif 000012
【図７】
2019508927.tif 000013
【図８】
2019508927.tif 000014
【図９】
2019508927.tif 000015
【図１０】
2019508927.tif 000016
【図１１】
2019508927.tif 000017
【図１２】
2019508927.tif 000018
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
第１の端末装置であって、
第２の端末装置から前記第１の端末装置のデータストリームを受信するように構成された送受信機モジュールと、
前記送受信機モジュールにより受信された前記データストリームを処理するように構成された処理モジュールと、
を含み、
前記第２の端末装置は、前記第１の端末装置を扱うネットワーク装置から、前記第１の端末装置のかつマルチユーザ複数入力複数出力ＭＵ‐ＭＩＭＯ技術を使用することにより前記ネットワーク装置により送出される前記データストリームを受信するように構成される、
第１の端末装置。
【請求項２】
前記処理モジュールは、前記送受信機モジュールが前記第１の端末装置の前記データストリームを受信する前、前記第２の端末装置を決定するようにさらに構成される、
請求項１に記載の装置。
【請求項３】
前記送受信機モジュールは、
前記処理モジュールが前記第２の端末装置を決定した後、前記処理モジュールが前記送受信機モジュールにより受信された前記データストリームを処理する前、第１の補助通知メッセージを前記ネットワーク装置に送出する
ようにさらに構成され、
前記第１の補助通知メッセージは、前記第２の端末装置が前記ネットワーク装置から前記第１の端末装置のデータを受信すると前記ネットワーク装置に通知するために使用される、
請求項２に記載の装置。
【請求項４】
前記送受信機モジュールは、
前記第２の端末装置から前記第１の端末装置の前記データストリームを受信する前、前記第２の端末装置の下りリンクチャネル情報を前記ネットワーク装置に送出する
ようにさらに構成され、
前記第２の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項１乃至３のうちいずれか１項に記載の装置。
【請求項５】
前記第２の端末装置はデータ送信要件を有し、あるいは前記第２の端末装置はデータ送信要件を有さない、請求項１乃至４のうちいずれか１項に記載の装置。
【請求項６】
第２の端末装置であって、
第１の端末装置を扱うネットワーク装置から、前記第１の端末装置のかつＭＵ‐ＭＩＭＯ技術を使用することにより前記ネットワーク装置により送出されるデータストリームを、前記第２の端末装置が受信すると決定するように構成された処理モジュールと、
前記第１の端末装置のかつ前記ＭＵ‐ＭＩＭＯ技術を使用することにより前記ネットワーク装置により送出される前記データストリームを受信するように構成された受信モジュールと、
前記第１の端末装置のかつ前記受信モジュールにより受信される前記データストリームを前記第１の端末装置に送出するように構成された送出モジュールと、
を含む第２の端末装置。
【請求項７】
前記送出モジュールは、
前記受信モジュールが前記第１の端末装置の前記データストリームを受信する前、前記第２の端末装置の下りリンクチャネル情報を前記ネットワーク装置に送出する
ようにさらに構成され、
前記第２の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項６に記載の装置。
【請求項８】
前記送出モジュールは、前記送出モジュールが前記第１の端末装置のかつ前記受信モジュールにより受信される前記データストリームを前記第１の端末装置に送出する前、第２の補助通知メッセージを前記ネットワーク装置に送出するようにさらに構成され、
前記第２の補助通知メッセージは、前記第２の端末装置が前記第１の端末装置のかつ前記ＭＵ‐ＭＩＭＯ技術を使用することにより前記ネットワーク装置により送出される前記データストリームを受信することができ、前記第１の端末装置の前記データストリームを前記第１の端末装置に送出することができると前記ネットワーク装置に通知するために使用される、
請求項６又は７に記載の装置。
【請求項９】
前記第２の端末装置はデータ送信要件を有し、あるいはデータ送信要件を有さない、請求項６乃至８のうちいずれか１項に記載の装置。
【請求項１０】
ネットワーク装置であって、
第２の端末装置を決定するように構成された処理モジュールであり、前記第２の端末装置は、前記ネットワーク装置から、第１の端末装置のかつＭＵ‐ＭＩＭＯ技術を使用することにより前記ネットワーク装置により送出されるデータストリームを受信するように構成される、処理モジュールと、
前記ＭＵ‐ＭＩＭＯ技術を使用することにより前記第１の端末装置の前記データストリームを前記第２の端末装置に送出するように構成された送受信機モジュールと、
を含むネットワーク装置。
【請求項１１】
前記送受信機モジュールは：前記処理モジュールが前記第２の端末装置を決定する前、第１の制御メッセージを前記第１の端末装置に送出することであって、前記第１の制御メッセージは、前記第２の端末装置を決定するように前記第１の端末装置に命令し；前記第１の端末装置から、前記第１の制御メッセージに応答して前記第１の端末装置により送出される第１の補助通知メッセージを受信することであって、前記第１の補助通知メッセージは、前記第２の端末装置が前記ネットワーク装置から前記第１の端末装置のデータを受信すると前記ネットワーク装置に通知するために使用される；ようにさらに構成され、
前記処理モジュールは、前記送受信機モジュールにより受信された前記第１の補助通知メッセージに基づき前記第２の端末装置を決定するように構成される、
請求項１０に記載の装置。
【請求項１２】
前記送受信機モジュールは、前記処理モジュールが前記第２の端末装置を決定する前、前記第２の端末装置により送出された第２の補助通知メッセージを受信するようにさらに構成され、前記第２の補助通知メッセージは、前記第２の端末装置が前記第１の端末装置のかつ前記ＭＵ‐ＭＩＭＯ技術を使用することにより前記ネットワーク装置により送出される前記データストリームを受信することができ、前記第１の端末装置の前記データストリームを前記第１の端末装置に送出することができると前記ネットワーク装置に通知するために使用され、
前記処理モジュールは、前記第２の補助通知メッセージに基づき前記第２の端末装置を決定するように構成される、
請求項１０に記載の装置。
【請求項１３】
前記送受信機モジュールは、前記ＭＵ‐ＭＩＭＯ技術を使用することにより前記第１の端末装置の前記データストリームを前記第２の端末装置に送出する前、
第２の制御メッセージを前記第１の端末装置に送出することであって、前記第２の制御メッセージは、前記第２の端末装置の下りリンクチャネル情報を取得するように前記第１の端末装置に命令するために使用され、
前記第２の端末装置のかつ前記第２の制御メッセージに応答して前記第１の端末装置により送出される前記下りリンクチャネル情報を受信する
ようにさらに構成され、
前記第２の端末装置の前記下りリンクチャネル情報は、前記ＭＵ‐ＭＩＭＯ技術を使用することにより前記第１の端末装置の前記データストリームを前記第２の端末装置に送出するために前記ネットワーク装置により使用される、
請求項１０乃至１２のうちいずれか１項に記載の装置。
【請求項１４】
前記第２の端末装置はデータ送信要件を有し、あるいは前記第２の端末装置はデータ送信要件を有さない、
請求項９乃至１３のうちいずれか１項に記載の装置。
【手続補正２】
【補正対象書類名】明細書
【補正対象項目名】０１６６
【補正方法】変更
【補正の内容】
【０１６６】
第４のチャネル情報：第４のチャネル情報は下記を含む：
下りリンクチャネルのチャネル情報を報告する端末装置により使用され得る少なくとも１つのコードブックの中の各コードブックについて、コードブックに対応するプリコーディング行列指標ＰＭＩ、及び、コードブックに対応するＰＭＩが使用され、かつネットワーク装置３０３が端末装置のためにＫ個のデータストリームを同時に送出する場合に対応するチャネル品質指標ＣＱＩであり、Ｋは、正の整数であり、ネットワーク装置３０３が端末装置のために同時に送出することができるデータストリームの最大数量以下である。
【手続補正３】
【補正対象書類名】明細書
【補正対象項目名】０２２８
【補正方法】変更
【補正の内容】
【０２２８】
図１２は、特定の実現方式を使用し、この出願において提供されるネットワーク装置の概略構成図である。送受信機モジュール１１０２は、図１２における送受信機１２０２により実現されてよい。処理モジュール１１０１は、図１２におけるプロセッサ１２０１により実現されてよい。送受信機１２０２は、複数のアンテナを使用することによりメッセージ及びデータを受信し、送出してよい。
【手続補正４】
【補正対象書類名】明細書
【補正対象項目名】０２３４
【補正方法】変更
【補正の内容】
【０２３４】
本発明のいくつかの実施例が説明されたが、当業者は、ひとたび当業者が基本の発明概念を習得するとこれらの実施例に変更及び修正を行うことができる。ゆえに、下記の特許請求の範囲は、実施例並びに本発明の範囲内に入るすべての変更及び修正をカバーするようにみなされることが意図される。
【手続補正５】
【補正対象書類名】明細書
【補正対象項目名】０２３５
【補正方法】変更
【補正の内容】
【０２３５】
明らかに、当業者は、本発明の実施例の範囲から逸脱することなく本発明の実施例に様々な修正及び変形を行うことができる。本発明は、これら修正及び変形が下記の特許請求の範囲及びその均等的技術により定義される保護の範囲内に入るという条件でこれらをカバーすることが意図される。
【国際調査報告】
2019508927.tif 000019
2019508927.tif 000020
2019508927.tif 000021
2019508927.tif 000022